(57)【要約】【課題】ユーザが容易且つ効率的に、画像情報の出力サービスの提供側に対して出力依頼（注文）することができると共に、所望する出力結果を得ることができる画像処理システムを提供する。【解決手段】画像取得側（撮像装置）１００において、画像情報を画像出力側（印刷装置）８００で出力するための設定に関する情報（印刷注文設定情報）を、情報処理側５００を介して画像出力側８００に対して送信する、或いは情報処理側５００を介さずに画像出力側８００に対して送信する、という設定を選択し、当該設定選択に基づき、画像情報を画像出力側８００で出力するための設定情報、及び当該出力対象の画像情報を、画像出力側８００へと送信する。【選択図】　図１
2004013833.tif 000002
【特許請求の範囲】
【請求項１】
画像情報を出力する画像出力側、及び当該画像出力側に対する画像出力設定及び画像出力依頼が可能な情報処理側と任意の通信媒体を介して通信可能な画像処理装置であって、
任意の画像情報を取得する画像取得手段と、
上記画像取得手段で得られた画像情報を上記画像出力側により出力するための設定を行う設定手段と、
上記設定手段での設定情報を、上記情報処理側を介して上記画像出力側に対して送信する設定、又は上記情報処理側を介さずに上記画像出力側に対して送信する設定を選択する送信選択手段と、
上記送信選択手段での選択設定に基づいて、上記設定手段での設定情報、及び上記画像取得手段で得られた画像情報を上記画像出力側に対して送信する送信手段とを備えることを特徴とする画像処理装置。
【請求項２】
上記画像出力側は、ユーザからの注文に基づき画像情報を印刷出力するサービスの提供側を含むことを特徴とする請求項１記載の画像処理装置。
【請求項３】
上記画像取得手段は、被写体を撮像して当該被写体の撮像画像情報を取得する手段を含むことを特徴とする請求項１記載の画像処理装置。
【請求項４】
上記送信手段は、上記送信選択手段での選択設定情報を変更可能なように上記情報処理側に対して送信することを特徴とする請求項１記載の画像処理装置。
【請求項５】
複数の機器が互いに通信可能に接続されてなる画像処理システムであって、
上記複数の機器のうち少なくとも１つの機器は、請求項１〜４の何れかに記載の画像処理装置の機能を有することを特徴とする画像処理システム。
【請求項６】
少なくとも撮像手段、情報処理手段、画像情報管理手段、及び印刷手段が相互に通信可能に接続された画像処理システムであって、
上記撮像手段は、
撮像画像情報に基づき印刷注文に関する設定を行う印刷注文設定手段と、
上記印刷注文設定手段での印刷注文設定情報を上記情報処理手段に対して送信する或いは非送信するを選択する送信選択手段と、
上記送信選択手段により送信設定された場合、上記印刷注文設定を上記情報処理手段に対して送信する印刷注文送信手段と、
上記印刷注文設定手段での印刷注文設定情報に対応する撮像画像情報を上記情報処理手段に対して送信する画像送信手段とを含み、
上記情報処理手段は、
上記撮像手段からの印刷注文設定情報を上記画像情報管理手段に対して送信する印刷注文情報送信手段と、
上記撮像手段からの画像情報を上記画像情報管理手段に対して送信する画像送信手段とを含み、
上記画像情報管理手段は、
上記情報処理手段からの印刷注文設定情報、及び上記情報処理手段からの当該印刷注文設定情報と関連した画像情報を保持すると共に、当該保持情報を上記印刷手段に対して転送する格納転送手段と、
上記印刷手段の使用に対する課金情報を課金情報データベースに登録する課金情報登録手段とを含み、
上記印刷手段は、
上記画像情報管理手段からの印刷注文設定情報及び画像情報を格納する格納手段と、
上記印刷注文情報に基づき上記画像情報を印刷処理する印刷処理手段とを含むことを特徴とする画像処理システム。
【請求項７】
少なくとも撮像手段、情報処理手段、画像情報管理手段、及び印刷手段が相互に通信可能に接続された画像処理システムであって、
上記撮像手段は、
撮像画像情報に基づき印刷注文に関する設定を行う印刷注文設定手段と、
上記印刷注文設定手段での印刷注文設定情報を上記情報処理手段に対して送信する或いは非送信するを選択する送信選択手段と、
上記送信選択手段により送信設定された場合、上記印刷注文設定を上記情報処理手段に対して送信する印刷注文送信手段と、
上記印刷注文設定手段での印刷注文設定情報に対応する撮像画像情報を上記情報処理手段に対して送信する画像送信手段とを含み、
上記情報処理手段は、
上記撮像手段の送信選択手段における設定を変更する送信選択変更手段と、
上記送信選択変更手段による変更結果に基づいて、上記撮像手段からの印刷注文設定情報を上記画像情報管理手段に対して送信する印刷注文情報送信手段と、
上記撮像手段からの画像情報を上記画像情報管理手段に対して送信する画像送信手段とを含み、
上記画像情報管理手段は、
上記情報処理手段からの印刷注文設定情報、及び上記情報処理手段からの当該印刷注文設定情報と関連した画像情報を保持すると共に、当該保持情報を上記印刷手段に対して転送する格納転送手段と、
上記印刷手段の使用に対する課金情報を課金情報データベースに登録する課金情報登録手段とを含み、
上記印刷手段は、
上記画像情報管理手段からの印刷注文設定情報及び画像情報を格納する格納手段と、
上記印刷注文情報に基づき上記画像情報を印刷処理する印刷処理手段とを含むことを特徴とする画像処理システム。
【請求項８】
画像取得側で得られた画像情報を画像出力側に対して転送して出力するための画像処理制御方法であって、
上記画像取得側の処理ステップは、
上記画像情報を上記画像出力側で出力するための設定を行う設定ステップと、
上記設定ステップによる設定情報を、上記画像出力側と通信可能な任意の情報処理側を介して上記画像出力側に対して送信する設定、又は当該情報処理側を介さずに上記画像出力側に対して送信する設定を選択する送信選択ステップと、
上記送信選択ステップによる選択設定に基づいて、上記設定ステップによる設定情報、及び上記画像情報を上記画像出力側に対して送信する送信ステップとを含むことを特徴とする画像処理制御方法。
【請求項９】
少なくとも撮像手段、情報処理手段、画像情報管理手段、及び印刷手段が相互に通信可能に接続された構成により、画像印刷出力するための画像処理制御方法であって、
上記撮像手段の処理ステップは、
撮像画像情報に基づき印刷注文に関する設定を行う印刷注文設定ステップと、上記印刷注文設定ステップによる印刷注文設定情報を上記情報処理手段に対して送信する或いは非送信するを選択する送信選択ステップと、
上記送信選択ステップにより送信設定された場合、上記印刷注文設定を上記情報処理手段に対して送信する印刷注文送信ステップと、
上記印刷注文設定ステップでの印刷注文設定情報に対応する撮像画像情報を上記情報処理手段に対して送信する画像送信ステップとを含み、
上記情報処理手段の処理ステップは、
上記撮像手段からの印刷注文設定情報を上記画像情報管理手段に対して送信する印刷注文情報送信ステップと、
上記撮像手段からの画像情報を上記画像情報管理手段に対して送信する画像送信ステップとを含み、
上記画像情報管理手段の処理ステップは、
上記情報処理手段からの印刷注文設定情報、及び上記情報処理手段からの当該印刷注文設定情報と関連した画像情報を保持すると共に、当該保持情報を上記印刷手段に対して転送する格納転送ステップと、
上記印刷手段の使用に対する課金情報を課金情報データベースに登録する課金情報登録ステップとを含み、
上記印刷手段の処理ステップは、
上記画像情報管理手段からの印刷注文設定情報及び画像情報を格納する格納ステップと、
上記印刷注文情報に基づき上記画像情報を印刷処理する印刷ステップとを含むことを特徴とする画像処理制御方法。
【請求項１０】
少なくとも撮像手段、情報処理手段、画像情報管理手段、及び印刷手段が相互に通信可能に接続された構成により、画像印刷出力するための画像処理制御方法であって、
上記撮像手段の処理ステップは、
撮像画像情報に基づき印刷注文に関する設定を行う印刷注文設定ステップと、上記印刷注文設定ステップによる印刷注文設定情報を上記情報処理手段に対して送信する或いは非送信するを選択する送信選択ステップと、
上記送信選択ステップにより送信設定された場合、上記印刷注文設定を上記情報処理手段に対して送信する印刷注文送信ステップと、
上記印刷注文設定ステップによる印刷注文設定情報に対応する撮像画像情報を上記情報処理手段に対して送信する画像送信ステップとを含み、
上記情報処理手段の処理ステップは、
上記撮像手段の送信選択ステップによる設定を変更する送信選択変更ステップと、
上記送信選択変更ステップによる変更結果に基づいて、上記撮像手段からの印刷注文設定情報を上記画像情報管理手段に対して送信する印刷注文情報送信ステップと、
上記撮像手段からの画像情報を上記画像情報管理手段に対して送信する画像送信ステップとを含み、
上記画像情報管理手段の処理ステップは、
上記情報処理手段からの印刷注文設定情報、及び上記情報処理手段からの当該印刷注文設定情報と関連した画像情報を保持すると共に、当該保持情報を上記印刷手段に対して転送する格納転送ステップと、
上記印刷手段の使用に対する課金情報を課金情報データベースに登録する課金情報登録ステップとを含み、
上記印刷手段の処理ステップは、
上記画像情報管理手段からの印刷注文設定情報及び画像情報を格納する格納ステップと、
上記印刷注文情報に基づき上記画像情報を印刷処理する印刷ステップとを含むことを特徴とする画像処理制御方法。
【請求項１１】
コンピュータを所定の手段として機能させるためのプログラムであって、
上記所定の手段は、画像情報を出力する画像出力側、及び当該画像出力側に対する画像出力設定及び画像出力依頼が可能な情報処理側と任意の通信媒体を介して通信可能な装置或いはシステムの手段であって、
任意の画像情報を取得する画像取得手段と、
上記画像取得手段で得られた画像情報を上記画像出力側により出力するための設定を行う設定手段と、
上記設定手段での設定情報を、上記情報処理側を介して上記画像出力側に対して送信する設定、又は上記情報処理側を介さずに上記画像出力側に対して送信する設定を選択する送信選択手段と、
上記送信選択手段での選択設定に基づいて、上記設定手段での設定情報、及び上記画像取得手段で得られた画像情報を上記画像出力側に対して送信する送信手段とを備えることを特徴とするプログラム。
【請求項１２】
コンピュータに所定のステップを実行させるためのプログラムであって、
上記所定のステップは、少なくとも撮像手段、情報処理手段、画像情報管理手段、及び印刷手段が相互に通信可能に接続された構成により、画像印刷出力するための処理ステップを含み、
上記撮像手段の処理ステップは、
撮像画像情報に基づき印刷注文に関する設定を行う印刷注文設定ステップと、
上記印刷注文設定ステップによる印刷注文設定情報を上記情報処理手段に対して送信する或いは非送信するを選択する送信選択ステップと、
上記送信選択ステップにより送信設定された場合、上記印刷注文設定を上記情報処理手段に対して送信する印刷注文送信ステップと、
上記印刷注文設定ステップでの印刷注文設定情報に対応する撮像画像情報を上記情報処理手段に対して送信する画像送信ステップとを含み、
上記情報処理手段の処理ステップは、
上記撮像手段からの印刷注文設定情報を上記画像情報管理手段に対して送信する印刷注文情報送信ステップと、
上記撮像手段からの画像情報を上記画像情報管理手段に対して送信する画像送信ステップとを含み、
上記画像情報管理手段の処理ステップは、
上記情報処理手段からの印刷注文設定情報、及び上記情報処理手段からの当該印刷注文設定情報と関連した画像情報を保持すると共に、当該保持情報を上記印刷手段に対して転送する格納転送ステップと、
上記印刷手段の使用に対する課金情報を課金情報データベースに登録する課金情報登録ステップとを含み、
上記印刷手段の処理ステップは、
上記画像情報管理手段からの印刷注文設定情報及び画像情報を格納する格納ステップと、
上記印刷注文情報に基づき上記画像情報を印刷処理する印刷ステップとを含むことを特徴とするプログラム。
【請求項１３】
コンピュータに所定のステップを実行させるためのプログラムであって、
上記所定のステップは、少なくとも撮像手段、情報処理手段、画像情報管理手段、及び印刷手段が相互に通信可能に接続された構成により、画像印刷出力するための処理ステップを含み、
上記撮像手段の処理ステップは、
撮像画像情報に基づき印刷注文に関する設定を行う印刷注文設定ステップと、
上記印刷注文設定ステップによる印刷注文設定情報を上記情報処理手段に対して送信する或いは非送信するを選択する送信選択ステップと、
上記送信選択ステップにより送信設定された場合、上記印刷注文設定を上記情報処理手段に対して送信する印刷注文送信ステップと、
上記印刷注文設定ステップによる印刷注文設定情報に対応する撮像画像情報を上記情報処理手段に対して送信する画像送信ステップとを含み、
上記情報処理手段の処理ステップは、
上記撮像手段の送信選択ステップによる設定を変更する送信選択変更ステップと、
上記送信選択変更ステップによる変更結果に基づいて、上記撮像手段からの印刷注文設定情報を上記画像情報管理手段に対して送信する印刷注文情報送信ステップと、
上記撮像手段からの画像情報を上記画像情報管理手段に対して送信する画像送信ステップとを含み、
上記画像情報管理手段の処理ステップは、
上記情報処理手段からの印刷注文設定情報、及び上記情報処理手段からの当該印刷注文設定情報と関連した画像情報を保持すると共に、当該保持情報を上記印刷手段に対して転送する格納転送ステップと、
上記印刷手段の使用に対する課金情報を課金情報データベースに登録する課金情報登録ステップとを含み、
上記印刷手段の処理ステップは、
上記画像情報管理手段からの印刷注文設定情報及び画像情報を格納する格納ステップと、
上記印刷注文情報に基づき上記画像情報を印刷処理する印刷ステップとを含むことを特徴とするプログラム。
【請求項１４】
請求項１１〜１３の何れかに記載のプログラムを記録したことを特徴とするコンピュータ読出可能な記憶媒体。
【発明の詳細な説明】
【０００１】
【発明の属する技術分野】
本発明は、例えば、静止画像や動画像の画像情報について、撮像取得、記憶、通信、記録、再生、及び印刷するための装置或いはシステムに用いられる、画像処理装置、画像処理システム、画像処理制御方法、それを実施するためのプログラムを記憶したコンピュータ読出可能な記憶媒体、及び当該プログラムに関するものである。
【０００２】
【従来の技術】
従来より例えば、電子カメラ等の撮像装置としては、固体メモリ素子を有するメモリカードを記録媒体として用い、静止画像や動画像の画像情報を当該記録媒体へ記録し、当該記録媒体から画像情報を再生し、さらに画像情報の通信が可能な撮像装置が既に市販されている。
【０００３】
また、撮像装置を用いたシステムとしては、インターネット等の広域ネットワークに接続されたＷＷＷサーバが、撮像装置から送信されてきた画像情報（撮像画像情報）を受信して格納し、当該撮像画像情報をＷＷＷサーバ上で広く公開するようになされたシステムが構築されている。
【０００４】
さらに、上記のようなシステムでは、ＷＷＷサーバが、ユーザ側の情報処理装置から送信されてきた、当該装置に格納された画像データ、及びプリント枚数指定等のプリント情報を受信して格納し、これらのデータ及び情報をプリントラボ業者に対して送信する構成により、ユーザが、プリントラボ業者側で印画された写真（ユーザが送信した画像データのプリント出力結果）を店頭又は郵送で受け取ることができるようになされた写真プリントサービスが提供されている。
【０００５】
ところで、記録媒体に記録された画像情報をプリントラボで簡便にプリント指定する方式としては、例えば、ＤＰＯＦ方式が普及している。このＤＰＯＦ方式では、プリントしたい画像のプリント枚数、日付プリントの有無、画像番号プリントの有無、及びインデックスプリントの有無等のプリント情報が設定可能となっている。
【０００６】
したがって、例えば、ユーザは、情報処理装置によりＷＷＷサーバを介してプリントラボ業者側と通信するのではなく、電子カメラ等の撮像装置により、ＤＰＯＦ方式で設定されたプリント情報、及び撮像画像データを記録媒体に記録し、これをプリントラボ業者に直接渡すことで、当該撮像画像が印画された写真を店頭で受け取ることができる。
【０００７】
【発明が解決しようとする課題】
しかしながら、上述したような写真プリントサービスが提供された従来のシステムでは、ユーザが、ＷＷＷサーバを介してプリントラボ業者へ写真注文する場合、ユーザは、先ず、撮像装置で撮影を行って所望の撮像画像データを取得し、これをパーソナルコンピュータ等の情報処理装置に対して送信して格納した後、情報処理装置において、プリントの枚数、日付プリントの有無、画像番号プリントの有無、及びインデックスプリントの有無等のプリント情報を設定し、そして、撮像画像データ及びプリント情報をＷＷＷサーバに対して送信する必要があった。
すなわち、従来では、撮像装置から直接ＷＷＷサーバを介して、プリントラボ業者へ写真注文することができなかった。
【０００８】
また、ユーザが、プリントラボ業者の店頭で直接写真注文するために、撮像装置において、ＤＰＯＦ方式に従ってプリント情報（プリント枚数、日付プリントの有無、インデックプリントの有無、及び画像番号プリントの有無等の情報）を設定した後、ＷＷＷサーバを介してプリントラボ業者へ写真注文する場合、ユーザは、プリント情報を再度情報処理装置で設定する必要があった。このように、同様のプリント情報の設定を二重に行うなど、ユーザ側の操作が煩雑となっていた。
【０００９】
さらに、ユーザが、ＷＷＷサーバを介してプリントラボ業者へ写真注文する場合、プリント情報の指定方式がプリントラボ業者毎に異なるため、ユーザは、利用するプリントラボ業者に応じて、該当する方式でプリント情報を設定する必要があった。
【００１０】
そこで、本発明は、上記の欠点を除去するために成されたもので、ユーザが容易且つ効率的に、画像情報の出力サービスの提供側に対して出力依頼（注文）することができると共に、所望する出力結果を得ることができる、画像処理装置、画像処理システム、画像処理制御方法、それを実施するためのプログラムを記憶したコンピュータ読出可能な記憶媒体、及び当該プログラムを提供することを目的とする。
【００１１】
【課題を解決するための手段】
斯かる目的下において、本発明は、画像情報を出力する画像出力側、及び当該画像出力側に対する画像出力設定及び画像出力依頼が可能な情報処理側と任意の通信媒体を介して通信可能な画像処理装置であって、任意の画像情報を取得する画像取得手段と、上記画像取得手段で得られた画像情報を上記画像出力側により出力するための設定を行う設定手段と、上記設定手段での設定情報を、上記情報処理側を介して上記画像出力側に対して送信する設定、又は上記情報処理側を介さずに上記画像出力側に対して送信する設定を選択する送信選択手段と、上記送信選択手段での選択設定に基づいて、上記設定手段での設定情報、及び上記画像取得手段で得られた画像情報を上記画像出力側に対して送信する送信手段とを備えることを特徴とする。
【００１２】
また、本発明は、少なくとも撮像手段、情報処理手段、画像情報管理手段、及び印刷手段が相互に通信可能に接続された画像処理システムであって、上記撮像手段は、撮像画像情報に基づき印刷注文に関する設定を行う印刷注文設定手段と、　上記印刷注文設定手段での印刷注文設定情報を上記情報処理手段に対して送信する或いは非送信するを選択する送信選択手段と、上記送信選択手段により送信設定された場合、上記印刷注文設定を上記情報処理手段に対して送信する印刷注文送信手段と、上記印刷注文設定手段での印刷注文設定情報に対応する撮像画像情報を上記情報処理手段に対して送信する画像送信手段とを含み、上記情報処理手段は、上記撮像手段からの印刷注文設定情報を上記画像情報管理手段に対して送信する印刷注文情報送信手段と、上記撮像手段からの画像情報を上記画像情報管理手段に対して送信する画像送信手段とを含み、上記画像情報管理手段は、上記情報処理手段からの印刷注文設定情報、及び上記情報処理手段からの当該印刷注文設定情報と関連した画像情報を保持すると共に、当該保持情報を上記印刷手段に対して転送する格納転送手段と、上記印刷手段の使用に対する課金情報を課金情報データベースに登録する課金情報登録手段とを含み、上記印刷手段は、上記画像情報管理手段からの印刷注文設定情報及び画像情報を格納する格納手段と、上記印刷注文情報に基づき上記画像情報を印刷処理する印刷処理手段とを含むことを特徴とする。
【００１３】
また、本発明は、少なくとも撮像手段、情報処理手段、画像情報管理手段、及び印刷手段が相互に通信可能に接続された画像処理システムであって、上記撮像手段は、撮像画像情報に基づき印刷注文に関する設定を行う印刷注文設定手段と、上記印刷注文設定手段での印刷注文設定情報を上記情報処理手段に対して送信する或いは非送信するを選択する送信選択手段と、上記送信選択手段により送信設定された場合、上記印刷注文設定を上記情報処理手段に対して送信する印刷注文送信手段と、上記印刷注文設定手段での印刷注文設定情報に対応する撮像画像情報を上記情報処理手段に対して送信する画像送信手段とを含み、上記情報処理手段は、上記撮像手段の送信選択手段における設定を変更する送信選択変更手段と、　上記送信選択変更手段による変更結果に基づいて、上記撮像手段からの印刷注文設定情報を上記画像情報管理手段に対して送信する印刷注文情報送信手段と、上記撮像手段からの画像情報を上記画像情報管理手段に対して送信する画像送信手段とを含み、上記画像情報管理手段は、上記情報処理手段からの印刷注文設定情報、及び上記情報処理手段からの当該印刷注文設定情報と関連した画像情報を保持すると共に、当該保持情報を上記印刷手段に対して転送する格納転送手段と、上記印刷手段の使用に対する課金情報を課金情報データベースに登録する課金情報登録手段とを含み、上記印刷手段は、上記画像情報管理手段からの印刷注文設定情報及び画像情報を格納する格納手段と、上記印刷注文情報に基づき上記画像情報を印刷処理する印刷処理手段とを含むことを特徴とする。
【００１４】
また、本発明は、画像取得側で得られた画像情報を画像出力側に対して転送して出力するための画像処理制御方法であって、上記画像取得側の処理ステップは、上記画像情報を上記画像出力側で出力するための設定を行う設定ステップと、上記設定ステップによる設定情報を、上記画像出力側と通信可能な任意の情報処理側を介して上記画像出力側に対して送信する設定、又は当該情報処理側を介さずに上記画像出力側に対して送信する設定を選択する送信選択ステップと、上記送信選択ステップによる選択設定に基づいて、上記設定ステップによる設定情報、及び上記画像情報を上記画像出力側に対して送信する送信ステップとを含むことを特徴とする。
【００１５】
また、本発明は、少なくとも撮像手段、情報処理手段、画像情報管理手段、及び印刷手段が相互に通信可能に接続された構成により、画像印刷出力するための画像処理制御方法であって、上記撮像手段の処理ステップは、撮像画像情報に基づき印刷注文に関する設定を行う印刷注文設定ステップと、上記印刷注文設定ステップによる印刷注文設定情報を上記情報処理手段に対して送信する或いは非送信するを選択する送信選択ステップと、上記送信選択ステップにより送信設定された場合、上記印刷注文設定を上記情報処理手段に対して送信する印刷注文送信ステップと、上記印刷注文設定ステップでの印刷注文設定情報に対応する撮像画像情報を上記情報処理手段に対して送信する画像送信ステップとを含み、上記情報処理手段の処理ステップは、上記撮像手段からの印刷注文設定情報を上記画像情報管理手段に対して送信する印刷注文情報送信ステップと、上記撮像手段からの画像情報を上記画像情報管理手段に対して送信する画像送信ステップとを含み、上記画像情報管理手段の処理ステップは、上記情報処理手段からの印刷注文設定情報、及び上記情報処理手段からの当該印刷注文設定情報と関連した画像情報を保持すると共に、当該保持情報を上記印刷手段に対して転送する格納転送ステップと、上記印刷手段の使用に対する課金情報を課金情報データベースに登録する課金情報登録ステップとを含み、上記印刷手段の処理ステップは、上記画像情報管理手段からの印刷注文設定情報及び画像情報を格納する格納ステップと、上記印刷注文情報に基づき上記画像情報を印刷処理する印刷ステップとを含むことを特徴とする。
【００１６】
また、本発明は、少なくとも撮像手段、情報処理手段、画像情報管理手段、及び印刷手段が相互に通信可能に接続された構成により、画像印刷出力するための画像処理制御方法であって、上記撮像手段の処理ステップは、撮像画像情報に基づき印刷注文に関する設定を行う印刷注文設定ステップと、上記印刷注文設定ステップによる印刷注文設定情報を上記情報処理手段に対して送信する或いは非送信するを選択する送信選択ステップと、上記送信選択ステップにより送信設定された場合、上記印刷注文設定を上記情報処理手段に対して送信する印刷注文送信ステップと、上記印刷注文設定ステップによる印刷注文設定情報に対応する撮像画像情報を上記情報処理手段に対して送信する画像送信ステップとを含み、上記情報処理手段の処理ステップは、上記撮像手段の送信選択ステップによる設定を変更する送信選択変更ステップと、上記送信選択変更ステップによる変更結果に基づいて、上記撮像手段からの印刷注文設定情報を上記画像情報管理手段に対して送信する印刷注文情報送信ステップと、上記撮像手段からの画像情報を上記画像情報管理手段に対して送信する画像送信ステップとを含み、上記画像情報管理手段の処理ステップは、上記情報処理手段からの印刷注文設定情報、及び上記情報処理手段からの当該印刷注文設定情報と関連した画像情報を保持すると共に、当該保持情報を上記印刷手段に対して転送する格納転送ステップと、上記印刷手段の使用に対する課金情報を課金情報データベースに登録する課金情報登録ステップとを含み、上記印刷手段の処理ステップは、上記画像情報管理手段からの印刷注文設定情報及び画像情報を格納する格納ステップと、上記印刷注文情報に基づき上記画像情報を印刷処理する印刷ステップとを含むことを特徴とする。
【００１７】
また、本発明は、コンピュータを所定の手段として機能させるためのプログラムであって、上記所定の手段は、画像情報を出力する画像出力側、及び当該画像出力側に対する画像出力設定及び画像出力依頼が可能な情報処理側と任意の通信媒体を介して通信可能な装置或いはシステムの手段であって、任意の画像情報を取得する画像取得手段と、上記画像取得手段で得られた画像情報を上記画像出力側により出力するための設定を行う設定手段と、上記設定手段での設定情報を、上記情報処理側を介して上記画像出力側に対して送信する設定、又は上記情報処理側を介さずに上記画像出力側に対して送信する設定を選択する送信選択手段と、上記送信選択手段での選択設定に基づいて、上記設定手段での設定情報、及び上記画像取得手段で得られた画像情報を上記画像出力側に対して送信する送信手段とを備えることを特徴とする。
【００１８】
また、本発明は、コンピュータに所定のステップを実行させるためのプログラムであって、上記所定のステップは、少なくとも撮像手段、情報処理手段、画像情報管理手段、及び印刷手段が相互に通信可能に接続された構成により、画像印刷出力するための処理ステップを含み、上記撮像手段の処理ステップは、撮像画像情報に基づき印刷注文に関する設定を行う印刷注文設定ステップと、上記印刷注文設定ステップによる印刷注文設定情報を上記情報処理手段に対して送信する或いは非送信するを選択する送信選択ステップと、上記送信選択ステップにより送信設定された場合、上記印刷注文設定を上記情報処理手段に対して送信する印刷注文送信ステップと、上記印刷注文設定ステップでの印刷注文設定情報に対応する撮像画像情報を上記情報処理手段に対して送信する画像送信ステップとを含み、上記情報処理手段の処理ステップは、上記撮像手段からの印刷注文設定情報を上記画像情報管理手段に対して送信する印刷注文情報送信ステップと、上記撮像手段からの画像情報を上記画像情報管理手段に対して送信する画像送信ステップとを含み、上記画像情報管理手段の処理ステップは、上記情報処理手段からの印刷注文設定情報、及び上記情報処理手段からの当該印刷注文設定情報と関連した画像情報を保持すると共に、当該保持情報を上記印刷手段に対して転送する格納転送ステップと、上記印刷手段の使用に対する課金情報を課金情報データベースに登録する課金情報登録ステップとを含み、上記印刷手段の処理ステップは、上記画像情報管理手段からの印刷注文設定情報及び画像情報を格納する格納ステップと、上記印刷注文情報に基づき上記画像情報を印刷処理する印刷ステップとを含むことを特徴とする。
【００１９】
また、本発明は、コンピュータに所定のステップを実行させるためのプログラムであって、上記所定のステップは、少なくとも撮像手段、情報処理手段、画像情報管理手段、及び印刷手段が相互に通信可能に接続された構成により、画像印刷出力するための処理ステップを含み、上記撮像手段の処理ステップは、撮像画像情報に基づき印刷注文に関する設定を行う印刷注文設定ステップと、上記印刷注文設定ステップによる印刷注文設定情報を上記情報処理手段に対して送信する或いは非送信するを選択する送信選択ステップと、上記送信選択ステップにより送信設定された場合、上記印刷注文設定を上記情報処理手段に対して送信する印刷注文送信ステップと、上記印刷注文設定ステップによる印刷注文設定情報に対応する撮像画像情報を上記情報処理手段に対して送信する画像送信ステップとを含み、上記情報処理手段の処理ステップは、上記撮像手段の送信選択ステップによる設定を変更する送信選択変更ステップと、上記送信選択変更ステップによる変更結果に基づいて、上記撮像手段からの印刷注文設定情報を上記画像情報管理手段に対して送信する印刷注文情報送信ステップと、上記撮像手段からの画像情報を上記画像情報管理手段に対して送信する画像送信ステップとを含み、上記画像情報管理手段の処理ステップは、上記情報処理手段からの印刷注文設定情報、及び上記情報処理手段からの当該印刷注文設定情報と関連した画像情報を保持すると共に、当該保持情報を上記印刷手段に対して転送する格納転送ステップと、上記印刷手段の使用に対する課金情報を課金情報データベースに登録する課金情報登録ステップとを含み、上記印刷手段の処理ステップは、上記画像情報管理手段からの印刷注文設定情報及び画像情報を格納する格納ステップと、上記印刷注文情報に基づき上記画像情報を印刷処理する印刷ステップとを含むことを特徴とする。
【００２０】
また、本発明は、請求項１１〜１３の何れかに記載のプログラムをコンピュータ読出可能な記憶媒体に記録したことを特徴とする。
【００２１】
【発明の実施の形態】
以下、本発明の実施の形態について図面を用いて説明する。
【００２２】
［第１の実施の形態］
本発明は、例えば、図１に示すようなシステム９００に適用される。
本実施の形態のシステム９００は、ユーザが、プリントサービス８００で提供されるサービス（写真プリントサービス）を利用して、撮像装置１００で撮影して取得した画像情報を出力（プリント出力）することが可能なシステムである。
以下、本実施の形態のシステム９００の構成及び動作について具体的に説明する。
【００２３】
＜システム９００の全体構成＞
システム９００は、上記図１に示すように、画像ゲートウェイ等の画像情報管理装置４００と、ユーザ側の情報処理装置５００と、印刷機能を有するプリントサービス８００と、各種コンテンツ情報を格納配布するＷＷＷサーバ６１０，６２０，６３０とが、インターネット６００上に接続された構成としている。
【００２４】
情報処理装置５００に対しては、通信媒体１１０を介して電子カメラ等の撮像装置１００が接続されている。
インターネット６００と画像情報管理装置（画像ゲートウェイ）４００は、ネットワーク６０２により接続されている。
インターネット６００と情報処理装置５００は、ネットワーク６０４により接続されている。
インターネット６００とプリントサービス８００は、ネットワーク６０８により接続されている。
【００２５】
＜撮像装置１００の構成＞
撮像装置１００は、情報処理装置５００、ネットワーク６０２、画像情報管理装置４００、ネットワーク６０２、及びインターネット６００を介して、ＷＷＷサーバ６１０や、ＷＷＷサーバ６２０、ＷＷＷサーバ６３０、或いはプリントサービス８００等のインターネット６００上の機器（ネットワーク機器）との間で、画像データやコマンド等の送受信をすることが可能であり、例えば、図２に示すような構成としている。
【００２６】
上記図２において、１０は、撮影レンズであり、１２は、絞り機能を備えるシャッターであり、１４は、光学像を電気信号に変換して出力する撮像素子である。
１６は、撮像素子１４の出力信号（アナログ信号）をディジタル化して出力するＡ／Ｄ変換器である。
【００２７】
１８は、撮像素子１４、　Ａ／Ｄ変換器１６、及び　Ｄ／Ａ変換器２６に対して、クロック信号や制御信号を供給するタイミング発生回路である。このタイミング発生回路１８は、メモリ制御回路２２及びシステム制御回路５０から制御される。
【００２８】
２０は、Ａ／Ｄ変換器１６から供給されたデータ（撮像画像データ）、或いはメモリ制御回路２２から供給されたデータに対して、所定の画素補間処理や色変換処理等の画像処理を行う画像処理回路である。
また、画像処理回路２０は、撮像画像データを用いた所定の演算処理の結果に基づきシステム制御回路５０が露光制御手段４０及び測距制御手段４２に対して制御を行うための、ＴＴＬ（スルー・ザ・レンズ）方式のＡＦ（オートフォーカス）処理、ＡＥ（自動露出）処理、及びＥＦ（フラッシュプリ発光）処理を実行する。
さらに、画像処理回路２０は、撮像した画像データを用いた所定の演算処理の結果に基づいて、ＴＴＬ方式のＡＷＢ（オートホワイトバランス）処理を実行する。
【００２９】
２２は、Ａ／Ｄ変換器１６、タイミング発生回路１８、画像処理回路２０、画像表示メモリ２４、Ｄ／Ａ変換器２６、メモリ３０、及び圧縮／伸長回路３２を制御するメモリ制御回路である。
このメモリ制御回路２２の制御により、Ａ／Ｄ変換器１６から出力される撮像画像データは、画像処理回路２０を介して、或いは直接、画像表示メモリ２４或いはメモリ３０に書き込まれる。
２４は、画像表示メモリであり、２６は、Ｄ／Ａ変換器である。
【００３０】
２８は、ＴＦＴ　ＬＣＤ等から成る画像表示部であり、Ｄ／Ａ変換器２６を介して供給された、画像表示メモリ２４に書き込まれた表示用の画像データを表示する。
このような画像表示部２８を用いて撮像画像データを逐次表示すれば、電子ファインダー機能を実現することが可能である。
また、画像表示部２８は、システム制御回路５０の指示により任意に表示をＯＮ／ＯＦＦすることが可能に構成されている。このため、画像表示部２８の表示をＯＦＦにした場合、撮像装置１００の電力消費を大幅に低減することができる。
【００３１】
３０は、撮影した静止画像や動画像の画像データ（撮像画像データ）を格納するためのメモリである。
このメモリ３０は、所定枚数の静止画像や、所定時間の動画像の画像データを格納するのに十分な記憶量を備えているため、例えば、複数枚の静止画像を連続して撮影する連写撮影やパノラマ撮影の場合であっても、高速且つ大量の画像データの書き込みを行える。
また、メモリ３０は、システム制御回路５０の作業領域としても使用することが可能である。
【００３２】
３２は、適応離散コサイン変換（ＡＤＣＴ）やウェーブレット変換等の処理により、撮像画像データを圧縮或いは伸長する圧縮／伸長回路である。例えば、圧縮／伸長回路３２は、メモリ３０に格納された画像データを読み込み、当該画像データに対して圧縮処理或いは伸長処理を施し、当該処理後の画像データをメモリ３０に書き込む。
【００３３】
３４は、メモリ３０の所定領域に記憶された撮像画像データに対して、必要に応じて暗号化処理を行うと共に、メモリ３０の所定領域に記憶された暗号化画像データを再生表示する際に復号化処理を行う暗号／復号回路である。
【００３４】
尚、暗号化画像データは、画像情報管理装置（画像ゲートウェイ）４００が備える暗号／復号手段４２２においても復号することができるようになされているものとする。また、ここでの暗号／復号の処理動作は、後述する画像情報管理装置（画像ゲートウェイ）４００が備える課金管理部４２０での課金データベース情報と連携して実行されるものとする。
【００３５】
３６は、課金管理部である。例えば、課金管理部３６は、撮影処理の実行及び或いは画像情報管理装置（画像ゲートウェイ）４００への画像データの送信及び或いは画像情報管理装置（画像ゲートウェイ）４００からの画像データの受信に応じて、課金情報の更新管理を必要に応じて行うことができるように構成されている。
【００３６】
４０は、絞り機能を備えるシャッター１２を制御する露光制御部である。この露光制御部４０は、フラッシュ４８と連携することで、フラッシュ調光機能をも有するものである。
【００３７】
４２は、撮影レンズ１０のフォーカシングを制御する測距制御部であり、４４は、撮影レンズ１０のズーミングを制御するズーム制御部であり、４６は、バリアである保護部１０２の動作を制御するバリア制御部である。
露光制御手段４０及び測距制御手段４２は、ＴＴＬ方式を用いて制御されている。例えば、システム制御回路５０は、撮像画像データが画像処理回路２０により演算処理された結果に基づき、露光制御手段４０及び測距制御手段４２を制御する。
【００３８】
４８は、ＡＦ補助光の投光機能やフラッシュ調光機能を有するフラッシュである。
５０は、撮像装置１００全体の動作制御を司るシステム制御回路であり、５２は、システム制御回路５０での動作制御のための定数や、変数、或いはプログラム等を記憶するメモリである。
【００３９】
５４は、システム制御回路５０でのプログラムの実行に応じて、文字や、画像、或いは音声等を用いて、撮像装置１００の動作状態やメッセージ等を表示する表示部である。
具体的には例えば、表示部５４は、液晶表示装置やスピーカ、或いはＬＣＤやＬＥＤ、発音素子等の組み合わせにより構成されており、撮像装置１００の操作部近辺の視認し易い位置に単数或いは複数個所設置される。また、表示部５４は、その一部の機能が光学ファインダ１０４（上記図１参照）内に設けられている。
【００４０】
表示部５４の表示内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け／時刻表示、外部コンピュータとの接続状態を示す表示、等が挙げられる。
【００４１】
また、表示部５４の表示内容のうち、光学ファインダー１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示、等が挙げられる。
【００４２】
さらに、表示部５４の表示内容のうち、ＬＥＤ等に表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示、等が挙げられる。
【００４３】
また、表示部５４の表示内容のうち、ランプ等に表示するものとしては、例えば、セルフタイマー通知ランプ、等が挙げられる。このセルフタイマー通知ランプは、ＡＦ補助光と共用して用いてもよい。
【００４４】
尚、撮像装置１００は、画像表示部２８による電子ファインダー機能を使用すること無しに、光学ファインダ１０４（上記図１参照）のみを用いて撮影を行うことが可能である。また、光学ファインダー１０４は、表示部５４の一部の機能、例えば、合焦表示や、手振れ警告表示、フラッシュ充電表示、シャッタースピード表示、絞り値表示、或いは露出補正表示等が可能なように構成されている。
【００４５】
５６は、例えばＥＥＰＲＯＭ、フラッシュメモリ等のような、電気的に消去／記録可能な不揮発性メモリである。
５８は、識別情報が格納されたメモリであり、この識別情報は、例えば、通信媒体１１０、アンテナ１１２、インターネット（パケット網）６００、及びネットワーク６０２
を介して、画像情報管理装置（画像ゲートウェイ）４００と通信を行う際に認証を行うため、及び或いは撮影画像データの格納／取り出しを行う際に課金管理を行うための各種情報を含んでおり、画像情報管理装置（画像ゲートウェイ）４００において、撮像装置１００に対して各種サービスを行う際の課金情報データベースを更新する際に用いられる。
【００４６】
６０、６２、６４、７０、及び７２は、システム制御回路５０の各種の動作指示を入力するための操作部であり、スイッチやダイアル、タッチパネル、視線検知によるポインティング、音声認識装置等の単数或いは複数の組み合わせで構成されたものである。
【００４７】
例えば、６０は、電源スイッチ（メインスイッチ）である。電源スイッチ６０を操作することで、撮像装置１００を電源オン／電源オフすることができると共に、撮像装置１００に接続された各種付属装置を電源オン／電源オフすることもできる。
【００４８】
６２は、シャッタースイッチＳＷ１であり、不図示のシャッターボタンの操作途中でＯＮとなるように構成されたものである。シャッタースイッチＳＷ１がＯＮに操作されると、ＡＦ（オートフォーカス）処理、ＡＥ（自動露出）処理、ＡＷＢ（オートホワイトバランス）処理、及びＥＦ（フラッシュプリ発光）処理等の動作が開始される。
【００４９】
６４は、シャッタースイッチＳＷ２であり、不図示のシャッターボタンの操作完了でＯＮとなるように構成されたものである。シャッタースイッチＳＷ２がＯＮに操作されると、撮像素子１４から出力された信号をＡ／Ｄ変換器１６及びメモリ制御回路２２を介してメモリ３０に書き込む露光処理、画像処理回路２０やメモリ制御回路２２での演算を用いた現像処理、メモリ３０から画像データを読み出して圧縮／伸長回路３２で圧縮を行い、これを記録媒体２００に書き込む記録処理、等の一連の処理が開始される。
【００５０】
７０は、各種ボタンやタッチパネル等からなる操作部である。例えば、操作部７０は、メニューボタン、セットボタン、マクロボタン、マルチ画面再生改ページボタン、フラッシュ設定ボタン、単写／連写／セルフタイマ切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、画像表示ＯＮ／ＯＦＦボタン、圧縮モードスイッチ、撮影直後に撮影した画像データを画像表示部２８を用いて自動再生表示するクイックレビュー機能を設定するためのクイックレビュースイッチ、撮影及び／又は再生及び／又は通信を実行する際に各種機能の選択及び切り替えを設定するための選択／切り替えスイッチ、撮影及び／又は再生及び／又は通信を実行する際に各種機能の決定及び実行を設定するための決定／実行スイッチ等を含んでいる。
【００５１】
尚、操作部７０に含まれる圧縮モードスイッチは、例えば、ＪＰＥＧ（Ｊｏｉｎｔ　Ｐｈｏｔｏｇｒａｐｈｉｃ　Ｅｘｐｅｒｔ　Ｇｐｏｕｐ）圧縮の圧縮率を選択するため、或いは撮像素子の信号をそのままディジタル化して記録媒体に記録するＣＣＤＲＡＷモードを選択するためのスイッチである。
【００５２】
ＪＰＥＧ圧縮のモードとしては、例えば、ノーマルモードとファインモードが用意されている。撮像装置１００のユーザは、操作部７０の圧縮モードスイッチにより、撮像画像のデータサイズを重視する場合はノーマルモードを設定し、撮影画像データの画質を重視する場合はファインモードを設定することで、所望する撮影を行うことができる。
【００５３】
また、ＪＰＥＧ圧縮のモードにおいては、圧縮／伸長回路３２は、操作部７０の圧縮モードスイッチによる設定に基づいて、撮像素子１４から出力され、Ａ／Ｄ変換器１６、画像処理回路２０、及びメモリ制御回路２２を介して、メモリ３０に書き込まれた画像データを、該当する圧縮率で圧縮し、必要に応じて、暗号／復号回路３４は、当該圧縮画像データに対して所定の暗号化処理を施す。この暗号化処理後の画像データは、記録媒体２００に記録される。
【００５４】
一方、ＣＣＤＲＡＷモードにおいては、メモリ制御回路２２は、撮像素子１４の色フィルタの画素配列に応じて、ライン毎にそのまま画像データを読み出し、これをＡ／Ｄ変換器１６を介してメモリ３０に書き込み、さらにメモリ３０から当該画像データを読み出す。暗号／復号回路３４は、必要に応じて、当該画像データに対して所定の暗号化処理を施す。この暗号化処理後の画像データは、記録媒体２００に記録される。
【００５５】
７２は、モードダイアルスイッチである。モードダイアルスイッチ７２を操作することで、自動撮影モード、撮影モードや、パノラマ撮影モード、再生モード、マルチ画面再生／消去モード、或いはＰＣ接続モード等の各機能モードを切り替え設定することができる。
【００５６】
尚、本実施の形態においては、特に、モードダイアルスイッチ７２により、撮像装置１００が、撮影モード、再生モード、及びプリントサービスモードを設定可能に構成している。
【００５７】
８０は、電池検出回路、ＤＣ−ＤＣコンバータ、及び通電するブロックを切り替えるスイッチ回路等を含む電源制御部である。例えば、電源制御部８０は、電池の装着の有無、電池の種類、及び電池残量の検出を行い、当該検出結果及びシステム制御回路５０の指示に基づき、ＤＣ−ＤＣコンバータを制御し、必要な電圧を必要な期間、記録媒体２００を含む撮像装置１００内の各構成部へ供給する。
【００５８】
８２及び８４は、コネクタであり、８６は、アルカリ電池やリチウム電池等の一次電池や、ＮｉＣｄ電池、ＮｉＭＨ電池、Ｌｉ−ｉｏｎ電池等の二次電池、或いはＡＣアダプター等からなる電源部である。
【００５９】
９０は、メモリカードやハードディスク等の記録媒体２００とのインタフェースであり、９２は、メモリカードやハードディスク等の記録媒体２００と接続するためのコネクタである。
【００６０】
１０２は、撮像装置１００のレンズ１０等を含む撮像部を覆うことで、当該撮像部の汚れや破損を防止するバリア（保護手段）である。
【００６１】
１１０は、ＴＤＭＡ（Ｔｉｍｅ　Ｄｉｖｉｓｉｏｎ　Ｍｕｌｔｉｐｌｅ　Ａｃｃｅｓｓ）方式やＣＤＭＡ（Ｃｏｄｅ　Ｄｉｖｉｓｉｏｎ　Ｍｕｌｔｉｐｌｅ　Ａｃｃｅｓｓ）方式、Ｗ−ＣＤＭＡ（Ｗｉｄｅｂａｎｄ　Ｃｏｄｅ　Ｄｉｖｉｓｉｏｎ　Ｍｕｌｔｉｐｌｅ　Ａｃｃｅｓｓ）方式、或いはＰＨＳ（Ｐｅｒｓｏｎａｌ　Ｈａｎｄｙｐｈｏｎｅ　Ｓｙｓｔｅｍ）方式等の携帯電話通信機能を有する通信部である。
【００６２】
１１２は、アンテナ（或いは有線通信の場合のコネクタ）である。例えば、アンテナ１１２は、通信部１１０により撮像装置１００を、インターネット（パケット網）６００及びネットワーク６０２を介して画像情報管理装置（画像ゲートウェイ）４００に接続させ、また、ネットワーク６０２及びインターネット６００を介して他の機器と接続させる。
【００６３】
１１４は、Ｂｌｕｅｔｏｏｔｈなどの無線通信機能を有する通信部である。
尚、通信部１１４を、例えば、ＲＳ２３２Ｃや、ＵＳＢ（Ｕｎｉｖｅｒｓａｌ　Ｓｅｒｉａｌ　Ｂｕｓ）、ＩＥＥＥ（Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ）　１３９４、Ｐ１２８４、ＳＣＳＩ（Ｓｍａｌｌ　Ｃｏｍｐｕｔｅｒ　Ｓｙｓｔｅｍ　Ｉｎｔｅｒｆａｃｅ）、モデム、ＬＡＮ（Ｌｏｃａｌ　Ａｒｅａ　Ｎｅｔｗｏｒｋ）等の有線通信、ＩｒＤＡ（Ｉｎｆｒａｒｅｄ　Ｄａｔａ　Ａｓｓｏｃｉａｔｉｏｎ）などの赤外線通信、或いは光通信等の各種通信機能を有する構成としてもよい。
【００６４】
１１６は、アンテナ（或いは有線通信の場合のコネクタ）である。例えば、アンテナ１１６は、通信部１１４により撮像装置１００を、プリントサービス８００等の他の機器と接続させる。
【００６５】
２００は、メモリカードやハードディスク等の記録媒体である。
記録媒体２００は、半導体メモリや磁気ディスク等から構成される記録部２０２、撮像装置１００とのインタフェース２０４、及び撮像装置１００と接続を行うコネクタ２０６を含む構成としている。
【００６６】
尚、本実施の形態では一例として、記録媒体２００が撮像装置１００に内蔵される構成としているが、これに限られることはない。
【００６７】
＜画像情報管理装置４００の構成＞
画像情報管理装置（画像ゲートウェイ）４００は、例えば、図３に示す構成を有する。
【００６８】
上記図３において、４０２は、画像情報管理装置（画像ゲートウェイ）４００全体の制御を司る制御部である。
４０４は、制御部４０２が各種アプリケーション（処理プログラム）等を実行するための主記憶メモリとしての記憶部である。記憶部４０４としては、例えば、ＳＤＲＡＭやＲＤＲＡＭ等が適用可能である。
【００６９】
４０６は、液晶表示装置やスピーカ等を含む構成をした表示部である。表示部４０６は、制御部４０２でのプログラム実行に応じて、必要な文字や、画像、或いは音声等の出力を行う。
４０８は、キーボードやマイク等を含む構成をした操作部である。操作部４０８は、画像情報管理装置（画像ゲートウェイ）４００の動作に必要な各種の設定の入力や、制御部４０２に対する各種動作指示の入力等を行う。
【００７０】
４１０は、制御部４０２が動作制御を行う上で必要な複数のアプリケーション（処理プログラム）を蓄積しておく記録部である。記録部４１０は、制御部４０２の管理下にあり、ハードディスク等から構成される。
【００７１】
４１６は、画像情報管理装置（画像ゲートウェイ）４００をネットワーク６０２に接続するための通信部である。通信部４１６は、ネットワーク６０２を介したデータ送受信を行う。
ここでのネットワーク６０２としては、例えば、イーサネット（Ｒ）等があげられる。したがって、画像情報管理装置（画像ゲートウェイ）４００は、通信部４１６及びネットワーク６０２を介して、インターネット６００に接続することが可能となる。
【００７２】
４１８は、撮像装置１００から送信された撮影画像データを、ネットワーク６０２、通信部４１６、及びバス４１２を介して、所定領域に順次格納する画像格納部である。
画像格納部４１８の所定領域に格納されたデータは、例えば、撮像装置１００及び／又は情報処理装置（クライアントコンピュータ、或いは、携帯情報機器、或いは携帯電話等）５００からの依頼に応じて順次読み出し、バス４１２、通信部４１６、ネットワーク６０２、インターネット６００、及びネットワーク６０４を介して、送出することが可能である。
【００７３】
尚、画像格納部４１８に対するデータの格納及び読出動作は、課金管理部４２０における課金データベース情報の管理動作と連携して実行される。
【００７４】
４２０は、課金管理部４２０である。
例えば、課金管理部４２０は、撮像装置１００で得られた撮像画像データを画像格納部４１８に格納する、及び／又は画像格納部４１８に格納された画像データを取り出す際に、画像データを格納する及び／又は取り出す機器（撮像装置１００及び／又は情報処理装置５００）の識別認証を行い、当該認証結果と、画像データの格納／取り出し動作とに応じて、自側が備える課金データベースの更新管理を行う。また、課金管理部４２０は、撮像装置１００及び／又は情報処理装置５００に対して課金を行うための課金識別情報を登録するために、撮像装置１００及び／又は情報処理装置５００から送信された識別情報に基づき、自側が備える課金データベースを更新する。
また、課金管理部４２０は、撮像装置１００から送信された撮像装置１００のユーザ情報を格納し、当該登録ユーザ情報に応じて、記憶部４０４等の拡張機能プログラムの格納領域から撮像装置１００に対して、各種拡張機能を提供することができるように構成されている。
【００７５】
４２２は、撮像装置１００及び／又は情報処理装置５００から送信された画像データに対して、必要に応じて暗号化処理或いは復号化処理を行う暗号／復号部である。
ここでの暗号／復号処理の動作は、課金管理部４２０における課金データベース情報と連携して実行される。
【００７６】
尚、暗号／復号部４２２により暗号化された画像データは、撮像装置１００が備える暗号／復号回路３４においても復号が可能である。この場合の復号処理の動作も、課金管理部４２０における課金データベース情報と連携して実行される。
【００７７】
４１２は、制御部４０２、記憶部４０４、表示部４０６、操作部４０８、記録部４１０、暗号／復号部４２２、通信部４１６、画像格納部４１８、及び課金管理部４２０の各ユニットを互いに通信可能に接続するバスである。
例えば、バス４１２を介して、制御部４０２で処理されたデータが各ユニットに転送され、また、各ユニット間同士でデータが高速に転送（ＤＭＡ転送等）される。
【００７８】
尚、例えば、他のＷＷＷサーバ６１０，６２０，６３０等からも画像データの格納及び／又は取り出しが可能な構成として識別認証を行い、当該認証結果と、このときの画像データの格納／取り出し動作に応じて、課金管理部４２０が備える課金データベースの更新管理を行うことも可能である。
また、他のＷＷＷサーバ６１０，６２０，６３０等と、課金管理部４２０が備える課金データベースの情報共有を行う構成としてもよい。
【００７９】
＜情報処理装置５００の構成＞
情報処理装置５００（クライアントコンピュータ等）は、例えば、図４に示す構成を有する。
【００８０】
上記図４において、５０２は、情報処理装置５００全体の制御を司る制御部である。
５０４は、制御部５０２が各種アプリケーション（処理プログラム）等を実行するための主記憶メモリとしての記憶部である。記憶部５０４としては、例えば、ＳＤＲＡＭやＲＤＲＡＭ等が適用可能である。
【００８１】
５０６は、液晶表示装置やスピーカ等を含む構成をした表示部である。表示部５０６は、制御部４０２でのプログラム実行に応じて、必要な文字や、画像、或いは音声等の出力を行う。
５０８は、キーボードやマイク等を含む構成をした操作部である。操作部５０８は、情報処理装置５００の動作に必要な各種の設定の入力や、制御部５０２に対する各種動作指示の入力等を行う。
【００８２】
５１０は、制御部５０２が動作制御を行う上で必要な複数のアプリケーション（処理プログラム）を蓄積しておく記録部である。記録部５１０は、制御部５０２の管理下にあり、ハードディスク等から構成される。
【００８３】
５１４は、情報処理装置５００を撮像装置１００に接続し、撮像装置１００とのデータの送受信を行うための通信部である。通信部５１４としては、例えば、ＵＳＢやシリアル通信等を適用可能である。
【００８４】
５１６は、情報処理装置５００をネットワーク６０４に接続するための通信部である。通信部５１６は、ネットワーク６０４を介したデータ送受信を行う。
ここでのネットワーク６０４としては、例えば、イーサネット（Ｒ）等があげられる。したがって、情報処理装置５００は、通信部５１６及びネットワーク６０４を介して、インターネット６００に接続することが可能となる。
【００８５】
５１８は、撮像装置１００から送信された撮影画像データを、通信媒体１１０、通信部５１４、及びバス５１２を介して、所定領域に順次格納する画像格納部である。
画像格納部５１８の所定領域に格納されたデータは、例えば、撮像装置１００及び／又は情報処理装置（クライアントコンピュータ、或いは、携帯情報機器、或いは携帯電話等）５００からの依頼に応じて順次読み出し、バス５１２、通信部５１６、ネットワーク６０４、インターネット６００、及びネットワーク６０４を介して、送出することが可能である。
【００８６】
５２２は、撮像装置１００及び／又は情報処理装置５００から送信された画像データに対して、必要に応じて暗号化処理或いは復号化処理を行う暗号／復号部である。
【００８７】
尚、暗号／復号部５２２により暗号化された画像データは、撮像装置１００が備える暗号／復号回路３４においても復号が可能である。
【００８８】
５１２は、制御部５０２、記憶部５０４、表示部５０６、操作部５０８、記録部５１０、暗号／復号部５２２、通信部５１４、通信部５１６、及び画像格納部５１８の各ユニットを互いに通信可能に接続するバスである。
例えば、バス５１２を介して、制御部５０２で処理されたデータが各ユニットに転送され、また、各ユニット間同士でデータが高速に転送（ＤＭＡ転送等）される。
【００８９】
＜プリントサービス８００の構成＞
プリントサービス８００（印刷機能）８００は、例えば、図５に示す構成を有する。
【００９０】
上記図５において、８０２は、プリントサービス８００全体の制御を司る制御部である。
８０４は、制御部８０２が各種アプリケーション（処理プログラム）等を実行するための主記憶メモリとしての記憶部である。記憶部８０４としては、例えば、ＳＤＲＡＭやＲＤＲＡＭ等が適用可能である。
【００９１】
８０６は、液晶表示装置やスピーカ等を含む構成をした表示部である。表示部８０６は、制御部８０２でのプログラム実行に応じて、必要な文字や、画像、或いは音声等の出力を行う。
８０８は、キーボードやマイク等を含む構成をした操作部である。操作部８０８は、プリントサービス８００の動作に必要な各種の設定の入力や、制御部８０２に対する各種動作指示の入力等を行う。
【００９２】
８１０は、制御部８０２が動作制御を行う上で必要な複数のアプリケーション（処理プログラム）を蓄積しておく記録部である。記録部８１０は、制御部８０２の管理下にあり、ハードディスク等から構成される。
【００９３】
８１６は、プリントサービス８００をネットワーク６０６に接続するための通信部である。通信部８１６は、ネットワーク６０６介したデータ送受信を行う。ここでのネットワーク６０６としては、例えば、イーサネット（Ｒ）等があげられる。したがって、プリントサービス８００は、通信部８１４及びネットワーク６０６を介して、インターネット６００に接続することが可能となる。
【００９４】
８１６は、撮像装置１００及び／又は情報処理装置５００及び／又は画像情報管理装置４００から送信された画像データに対して、必要に応じて暗号化処理或いは復号化処理を行う暗号／復号部である。
ここでの暗号／復号処理の動作は、画像情報管理装置（画像ゲートウェイ）４００が備える課金管理部４２０における課金データベース情報と連携して実行される。
【００９５】
８１８は、撮像装置１００及び／又は情報処理装置５００及び／又は画像情報管理装置４００から送信された画像データに対して、必要に応じて圧縮処理或いは伸張処理を行う圧縮／伸張部である。
【００９６】
８２０は、撮像装置１００及び／又は情報処理装置５００及び／又は画像情報管理装置４００から送信された撮像画像データを、ネットワーク６０６、通信部８１４、及びバス８１２を介して受信し、当該受信画像データを記憶部８０４及び／又は記録部８１０に格納し、当該格納画像データを読み出して印刷処理する印刷部である。
ここでの印刷動作は、画像情報管理装置（画像ゲートウェイ）４００が備える課金管理部４２０で保持された識別情報（撮像装置固有識別情報）の管理動作と連携して実行される。
【００９７】
８２２は、Ｂｌｕｅｔｏｏｔｈ等の無線通信機能を有する通信部である。
この通信部８２２としては、例えば、ＲＳＢ３２Ｃや、ＵＳＢ（Ｕｎｉｖｅｒｓａｌ　Ｓｅｒｉａｌ　Ｂｕｓ）、ＩＥＥＥ（Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ）　１３９４、Ｐ１２８４、ＳＣＳＩ（Ｓｍａｌｌ　Ｃｏｍｐｕｔｅｒ　Ｓｙｓｔｅｍ　Ｉｎｔｅｒｆａｃｅ）、モデム、ＬＡＮ（Ｌｏｃａｌ　Ａｒｅａ　Ｎｅｔｗｏｒｋ）等の有線通信、或いはＩｒＤＡ等の光通信等の各種通信機能を有する構成のものを適用可能である。
【００９８】
８２４は、プリントサービス８００を他の機器と接続するためのアンテナ（或いは有線通信の場合はコネクタ）である。
８２６は、識別情報用のメモリであり、この識別情報は、個々のプリントサービス８００を特定して管理するために設定記憶される固有識別情報を含む情報である。メモリ８１３６に記憶された識別情報を他の機器に通知することで、プリントサービス８００は、当該他の機器との間でコマンドやデータをやりとりすることが可能となる。
【００９９】
８１２は、制御部８０２、記憶部８０４、表示部８０６、操作部８０８、記録部８１０、メモリ８２６、通信部８１４、通信部８２２、暗号／復号部８１６、圧縮／伸長部８１８、及び印刷部８２０の各ユニットを互いに通信可能に接続するバスである。
例えば、バス８１２を介して、制御部８０２で処理されたデータが各ユニットに転送され、また、各ユニット間同士でデータが高速に転送（ＤＭＡ転送等）される。
【０１００】
＜撮像装置１００の動作＞
図６〜図１５は、撮像装置１００の動作の一例を示したものである。
【０１０１】
＜撮像装置１００のメイン動作：図６参照＞
ステップＳ１００１：
【０１０２】
撮像装置１００に対する電池交換等の電源投入により、システム制御回路５０は、フラグや制御変数等の初期化を行うと共に、撮像装置１００内の各構成部の初期化処理を実行する。
【０１０３】
ステップＳ１００２：
システム制御回路５０は、電源スイッチ６０の操作状態（設定位置）を検出し、その検出結果により、電源スイッチ６０が電源ＯＦＦ状態であるか或いはＯＮ状態であるかを判別する。
この判別の結果、電源スイッチ６０が電源ＯＦＦ状態である場合にはステップＳ１００３に進み、電源スイッチ６０がＯＮ状態である場合にはステップＳ１００４に進む。
【０１０４】
ステップＳ１００３：
電源スイッチ６０が電源ＯＦＦ状態である場合、システム制御回路５０は、画像表示部２８や光学ファインダ１０４等の表示を終了状態とし、フラグや制御変数等を含む必要なパラメータ、設定値、及び設定モード等を不揮発性メモリ５６に記録し、電源制御部８０により、画像表示部２８を含む撮像装置１００内の各構成部の不要な電源を遮断する等の、所定の終了処理を実行する。
その後、再びステップＳ１００２に戻る。
【０１０５】
ステップＳ１００４：
電源スイッチ６０が電源ＯＮ状態である場合、システム制御回路５０は、電源制御部８０により、電池等により構成される電源８６の残容量や動作状況が、撮像装置１００の動作に問題があるか否か（電池ＯＫであるか否か）を判断する。この判別の結果、電池ＯＫである場合にはステップＳ１０１０に進み、電池ＯＫでない場合にはステップＳ１００５に進む。
【０１０６】
ステップＳ１００５：
電池ＯＫでない場合、すなわち問題ありの場合、システム制御回路５０は、例えば、表示部５４及び／又は画像表示部２８等を用いて、画像や音声による所定の警告表示を行う。
その後、再びステップＳ１００２に戻る。
【０１０７】
ステップＳ１０１０：
電池ＯＫである場合、システム制御回路５０は、表示部５４により、画像や音声による撮像装置１００の各種設定状態の表示を行う。
尚、画像表示部２８の画像表示がＯＮである場合、システム制御回路５０は、画像表示部２８により、画像や音声による撮像装置１００の各種設定状態の表示を行う。
【０１０８】
ステップＳ１０１１：
システム制御回路５０は、モードダイアル７２の操作状態（設定位置）を検出し、その検出の結果、撮影モードに設定されているか否かを判別する。
この判別の結果、撮影モード設定の場合にはステップＳ１０１２に進み、撮影モード設定でない場合にはステップＳ１０１３に進む。
【０１０９】
ステップＳ１０１２：
モードダイアル７２が撮影モード設定の場合、システム制御回路５０は、後述する撮影モード処理を実行し、当該処理終了後、再びステップＳ１００２に戻る。
【０１１０】
ステップＳ１０１３：
モードダイアル７２が撮影モード設定でない場合、システム制御回路５０は、再生モードに設定されているか否かを判別する。
この判別の結果、再生モード設定の場合にはステップＳ１０１４に進み、再生モード設定でない場合にはステップＳ１０１５に進む。
【０１１１】
ステップＳ１０１４：
モードダイアル７２が再生モード設定の場合、システム制御回路５０は、後述するが、撮像画像データの概略画像データを表示する再生モード処理を実行し、当該処理終了後、再びステップＳ１００２に戻る。
【０１１２】
ステップＳ１０１５：
モードダイアル７２が再生モード設定でない場合、システム制御回路５０は、印刷注文設定モードに設定されているか否かを判別する。
この判別の結果、印刷注文設定モード設定の場合にはステップＳ１０１６に進み、印刷注文設定モード設定でない場合には再びステップＳ１００２に戻る。
【０１１３】
ステップＳ１０１６：
モードダイアル７２が印刷注文設定モード設定の場合、システム制御回路５０は、後述する印刷注文設定モード処理を実行し、当該処理終了後、再びステップＳ１００２に戻る。
【０１１４】
上述のような動作を実施する撮像装置１００のユーザは、撮像装置１００を携帯して撮影、再生、及び通信を随時行うことが可能であり、また、当該撮影画像データ（撮像画像データ）を情報処理装置５００に格納し、当該格納画像データを、画像情報管理装置（画像ゲートウェイ）４００を介してプリントサービス８００に転送することで、プリントサービス８００により写真プリントを行うことが可能である。
【０１１５】
＜撮影モード処理（ステップＳ１０１２）：図７参照＞
図７は、上記図６に示したステップＳ１０１２の撮影モード処理を具体的に示したものである。
【０１１６】
ステップＳ１１０１：
システム制御回路５０は、操作部７０に含まれる各種スイッチ等が操作状態を検知することで、ユーザにより撮影に関する各種設定の変更が行われたか否かを判別する。
この判別の結果、設定変更の場合にはステップＳ１１０２を介してステップＳ１１０３に進み、設定変更でない場合にはそのままステップＳ１１０３に進む。
【０１１７】
ステップＳ１１０２：
設定変更の場合、システム制御回路５０は、当該変更内容に応じて、撮影に関する各種設定を変更する。
【０１１８】
ステップＳ１１０３：
システム制御回路５０は、シャッタースイッチＳＷ１が押下された状態であるか否かを判別する。
この判別の結果、押下状態である（ＯＮ）場合にはステップＳ１１０４に進み、押下状態でない（ＯＦＦ）場合にはそのまま本処理終了（リターン）とする。
【０１１９】
ステップＳ１１０４：
シャッタースイッチＳＷ１が押下状態である場合、システム制御回路５０は、詳細は後述するが、撮影レンズ１０の焦点を被写体に合わせた状態で測光処理を実行し、絞り値及びシャッター時間を決定する測距処理を実行する。この測光処理に於いて、必要に応じて、システム制御回路５０は、フラッシュ４８に対する設定も行う。
【０１２０】
ステップＳ１１０５、ステップＳ１１０６：
システム制御回路５０は、シャッタースイッチＳＷ２が押下されずに（ステップＳ１１０５）、且つシャッタースイッチＳＷ１をも解除された状態である（ステップＳ１１０６）か否かを判別する。
この判別の結果、上記の条件を満たした場合には本処理終了とし、そうでない場合にはステップＳ１１０７に進む。
【０１２１】
ステップＳ１１０７：
シャッタースイッチＳＷ２が押下された場合、システム制御回路５０は、詳細は後述するが、システム制御回路５０は、詳細は後述するが、撮像素子１４、Ａ／Ｄ変換器１６、画像処理回路２０、及びメモリ制御回路２２を介して、或いはＡ／Ｄ変換器１６から直接メモリ制御回路２２を介して、メモリ３０に対して撮像画像データを書き込む露光処理、及び、メモリ制御回路２２と、必要に応じて画像処理回路２０とを用いて、メモリ３０に書き込まれた画像データを読み出して各種処理を実行する現像処理等を含む撮影処理を実行する。
【０１２２】
ステップＳ１１０８：
システム制御回路５０は、撮影処理（ステップＳ１１０７）の終了後、メモリ３０に書き込まれた撮像画像データを読み出し、当該読出画像データに対して、メモリ制御回路２２と、必要に応じて画像処理回路２０とを用いて、所定の画素補間処理や色変換処理等の現像処理を施し、当該現像処理後の画像データを、メモリ３０の所定領域に格納する。
【０１２３】
ステップＳ１１０９：
システム制御回路５０は、ステップＳ１１０８でメモリ３０の所定領域に格納した画像データを読み出し、圧縮／伸長回路３２により、当該読出画像データに対して、設定モードに応じた画像圧縮処理等を含む圧縮処理を施した後、当該圧縮画像データをメモリ３０の所定領域に格納する。
【０１２４】
ステップＳ１１１０：
システム制御回路５０は、ステップＳ１１０９でメモリ３０の所定領域に格納した圧縮画像データを読み出し、暗号／復号回路３４により、当該読出画像データに対して、所定の暗号化処理を施し、当該暗号化処理後の画像データをメモリ３０の所定領域に格納する。
【０１２５】
ステップＳ１１１１：
システム制御回路５０は、シャッタースイッチＳＷ１が押下された状態であるか否かを判別する。
この判別の結果、押下状態である（ＯＮ）場合にはシャッタースイッチＳＷ１のＯＦＦ状態待ちとなり、押下状態でない（ＯＦＦ）場合に本処理終了（リターン）とする。
【０１２６】
＜測距／測光処理（ステップＳ１１０４）：図８参照＞
図８は、上記図７に示したステップＳ１１０４の測距／測光処理を具体的に示したものである。
【０１２７】
ステップＳ１２０１：
システム制御回路５０は、撮像素子１４から電荷信号（画像信号）を読み出し、これをＡ／Ｄ変換器１６を介して、撮像画像データとして、画像処理回路２０に対して入力する。
これにより、画像処理回路２０は、入力画像データを用いて、ＴＴＬ（スルー・ザ・レンズ）方式のＡＥ（自動露出）処理、ＥＦ（フラッシュプリ発光）処理、及びＡＦ（オートフォーカス）処理に用いる所定の演算処理を実行する。
【０１２８】
具体的には例えば、画像処理回路２０は、入力画像データ（撮像画像データ）を構成する全画素から、必要に応じて特定部分の画素を必要個所分切り取って抽出し、当該抽出画素を演算処理に用いる。これにより、　ＴＴＬ方式のＡＥ、ＥＦ、ＡＷＢ、及びＡＦのための各処理において、中央重点モード、平均モード、及び評価モード等のような異なるモード毎に、最適な演算処理を実行することが可能となる。
【０１２９】
ステップＳ１２０２：
システム制御回路５０は、画像処理回路２０での演算結果により、露出（ＡＥ）が適正であるか否かを判別する。
この判別の結果、露出ＯＫである場合にはステップＳ１２０６に進み、露出ＯＫでない場合にはステップＳ１２０３に進む。
【０１３０】
ステップＳ１２０３：
露出ＯＫでない場合、システム制御回路５０は、露光制御手段４０により、露出ＯＫとなるためのＡＥ制御を実行する。
【０１３１】
ステップＳ１２０４：
システム制御回路５０は、ステップＳ１２０３でのＡＥ制御により得られた測定データを用いて、フラッシュが必要であるか否かを判別する。
この判別の結果、フラッシュが必要である場合にはステップＳ１２０５を介してステップＳ１２０１に戻り、フラッシュが必要でない場合にはそのままステップＳ１２０１に戻る。
【０１３２】
ステップＳ１２０５：
フラッシュが必要である場合、システム制御回路５０は、フラッシュフラグをセットし、フラッシュ４８を充電する。
その後、ステップＳ１２０１に戻る。
【０１３３】
ステップＳ１２０６：
ステップＳ１２０２の判別の結果、露出（ＡＥ）が適正な場合、システム制御回路５０は、このときの測定データ及び／又は設定パラメータを自側の内部メモリ又はメモリ５２に記憶する。
そして、システム制御回路５０は、画像処理回路２０での演算結果及びＡＥ制御で得られた測定データにより、ホワイトバランス（ＡＷＢ）が適正であるか否かを判別する。
この判別の結果、ホワイトバランスＯＫである場合にはステップＳ１２０８に進み、ホワイトバランスＯＫでない場合にはステップＳ１２０７に進む。
【０１３４】
ステップＳ１２０７：
ホワイトバランスＯＫでない場合、システム制御回路５０は、画像処理回路２０により、色処理のパラメータを調節してＡＷＢ制御を行う。
その後、再びステップＳ１２０１に戻る。
【０１３５】
ステップＳ１２０８：
ホワイトバランスＯＫである場合、システム制御回路５０は、このときの測定データ及び／又は設定パラメータを自側の内部メモリ又はメモリ５２に記憶する。
そして、システム制御回路５０は、ＡＥ制御及びＡＷＢ制御で得られた測定データにより、測距（ＡＦ）が合焦状態であるか否かを判別する。
この判別の結果、測距（ＡＦ）ＯＫである場合には本処理終了とし、測距（ＡＦ）ＯＫでない場合にはステップＳ１２０９に進む。
【０１３６】
尚、測距（ＡＦ）ＯＫである場合、システム制御回路５０は、このときの測定データ及び／又は設定パラメータを自側の内部メモリ又はメモリ５２に記憶してから、本処理を終了する。
【０１３７】
ステップＳ１２０８：
測距（ＡＦ）ＯＫでない場合、システム制御回路５０は、測距制御部４２によりＡＦ制御を行う。
その後、再びステップＳ１２０１に戻る。
【０１３８】
＜撮影処理（ステップＳ１１０７）：図９参照＞
図９は、上記図７に示したステップＳ１１０７の撮影処理を具体的に示したものである。
【０１３９】
ステップＳ１３０１、ステップＳ１３０２：
システム制御回路５０は、システム制御回路５０の内部メモリ又はメモリ５２に記憶された測光データ（上記図８のフローチャート参照）により示される絞り値に基づいて、露光制御部４０により、絞り機能を有するシャッター１２を開放し（ステップＳ１３０１）、撮像素子１０を露光する（ステップＳ１３０２）。
【０１４０】
ステップＳ１３０３：
システム制御回路５０は、フラッシュ・フラグ（上記図８のフローチャート参照）を参照することで、フラッシュ４８が必要であるか否かを判別する。
この判別の結果、フラッシュ４８が必要である場合にはステップＳ１３０４を介してステップＳ１３０５に進み、フラッシュ４８が必要でない場合にはそのままステップＳ１３０５に進む。
【０１４１】
ステップＳ１３０４：
フラッシュ４８が必要である場合、システム制御回路５０は、フラッシュ４８を発光させる。
【０１４２】
ステップＳ１３０５、ステップＳ１３０６：
システム制御回路５０は、上記の測光データに基づいて、撮像素子１４の露光終了を待ち（ステップＳ１３０５）、露光終了後、シャッター１２を閉じる（ステップＳ１３０６）。
【０１４３】
ステップＳ１３０７：
システム制御回路５０は、撮像素子１４から電荷信号（画像信号）を読み出し、当該画像信号を、Ａ／Ｄ変換器１６、画像処理回路２０、及びメモリ制御回路２２を介して、或いはＡ／Ｄ変換器１６から直接メモリ制御回路２２を介して、撮像画像データとして、メモリ３０に書き込む。
その後、本処理を終了する。
【０１４４】
＜再生モード処理（ステップＳ１０１４）：図１０参照＞
図１０は、上記図６に示したステップＳ１０１４の再生モード処理を具体的に示したものである。
【０１４５】
ステップＳ１４０１：
システム制御回路５０は、再生対象の画像に対応する概略画像データを、メモリ３０の所定領域又は記録媒体２００から読み出し、これをメモリ３０の所定領域に格納する。
【０１４６】
ステップＳ１４０２〜ステップＳ１４０４：
システム制御回路５０は、ステップＳ１４０１でメモリ３０に読み込んだ画像データに対して、暗号／復号回路３４により所定の復号処理を施し（ステップＳ１４０２）、圧縮／伸張回路３２により所定の伸張処理を施し（ステップＳ１４０３）、当該処理後の画像データを、メモリ制御回路２２及びＤ／Ａ変換器２６を介して、画像表示部２８により表示する（ステップＳ１４０４）。
【０１４７】
ステップＳ１４０５：
システム制御回路５０は、操作部７０により、ステップＳ１４０４で表示した画像（概略画像）に対応した詳細画像を表示する設定がされているか否かを判別する。
この判別の結果、詳細画像表示の設定がなされている場合にはステップＳ１４１３を介してステップＳ１４１４に進み、詳細画像表示の設定がなされていない場合にはそのままステップＳ１４１４に進む。
【０１４８】
ステップＳ１４１３：
詳細画像表示の設定がなされている場合、システム制御回路５０は、画像表示部２８で表示されている概略画像に対応した詳細画像データを、メモリ３０の所定領域から読み出し、当該読出画像データに対して、暗号／復号回路３４により所定の復号処理を施し、圧縮／伸張回路３２により所定の伸張処理を施し、メモリ制御回路２２、そして必要に応じて画像処理回路２０を用いて所定の画像処理を施し、当該処理後の画像データを、メモリ制御回路２２及びＤ／Ａ変換器２６を介して、画像表示部２８により再生表示する。
【０１４９】
ステップＳ１４１４：
システム制御回路５０は、次の画像を表示すべきか否かを判別し、この判別の結果、次の画像を表示する場合には再びステップＳ１４０１に戻り、そうでない場合には本処理終了する。
【０１５０】
＜印刷注文設定モード処理（ステップＳ１０１６）：図１１参照＞
図１１は、上記図６に示したステップＳ１０１６の印刷注文設定モード処理を具体的に示したものである。
【０１５１】
ステップＳ１５０１、ステップＳ１５０２：
システム制御回路５０は、ユーザが撮影して得られた撮像画像の中から印刷注文する画像を指定するか否かを判別し（ステップＳ１５０１）、この判別の結果、撮像画像の中からの画像指定の場合、詳細は後述するが、撮像画像の中から印刷注文する画像を指定する処理（画像指定モード処理）を実行し（ステップＳ１５０２）、再びステップＳ１５０１に戻る。
ステップＳ１５０１の判別の結果、画像指定でない場合、次のステップＳ１５０３に進む。
【０１５２】
ステップＳ１５０３、ステップＳ１５０４：
システム制御回路５０は、ユーザが印刷注文の設定を行うか否かを判別し（ステップＳ１５０３）、この判別の結果、印刷注文設定の場合、詳細は後述するが、設定モード処理を実行し（ステップＳ１５０４）、再びステップＳ１５０１に戻る。
ステップＳ１５０３の判別の結果、印刷注文設定でない場合、次のステップＳ１５０５に進む。
【０１５３】
ステップＳ１５０５、ステップＳ１５０６：
システム制御回路５０は、ユーザが印刷注文の送信を行うか否かを判別し（ステップＳ１５０５）、この判別の結果、印刷注文送信の場合、詳細は後述するが、印刷注文送信モード処理を実行し（ステップＳ１５０６）、再びステップＳ１５０１に戻る。
ステップＳ１５０５の判別の結果、印刷注文送信でない場合、次のステップＳ１５０７に進む。
【０１５４】
ステップＳ１５０７、ステップＳ１５０８：
システム制御回路５０は、ユーザがリセットを行うか否かを判別し（ステップＳ１５０７）、この判別の結果、リセットの場合、詳細は後述するが、リセットモード処理を実行し（ステップＳ１５０８）、再びステップＳ１５０１に戻る。
ステップＳ１５０７の判別の結果、リセットでない場合、本処理終了する。
【０１５５】
＜画像指定モード処理（ステップＳ１５０２）：図１２参照＞
図１２は、上記図１１に示したステップＳ１５０２の画像指定モード処理を具体的に示したものである。
【０１５６】
ステップＳ１５０８、ステップＳ１５０９：
システム制御回路５０は、ユーザが撮像画像の中から選択した印刷注文対象の画像を、例えば、画像表示部２８により表示し（ステップＳ１５０８）、ユーザから指定されたプリント枚数及び画像のインデックス等の情報をメモリ５２に記録する（ステップＳ１５０９）。
【０１５７】
尚、印刷注文情報の記憶媒体２００への書き込みは、印刷注文設定処理の終了時に実行され、印刷注文情報の一貫性は、記憶媒体２００の抜挿時やシステム制御回路５０の処理に余裕のある場合に実施される。
【０１５８】
ステップＳ１５１１：
システム制御回路５０は、ユーザから次の画像が選択されたか否かを判別し、この判別の結果、次の画像選択の場合には再びステップＳ１５０８に戻り、そうでない場合には本処理終了する。
【０１５９】
＜リセットモード処理（ステップＳ１５０８）：図１３参照＞
図１３は、上記図１１に示したステップＳ１５０８のリセットモード処理を具体的に示したものである。
【０１６０】
ステップＳ１５１３、ステップＳ１５１４：
システム制御回路５０は、プリント指定の解除であるか否かを判別し（ステップＳ１５１３）、この判別の結果、プリント指定の解除である場合、プリント指定の解除処理を実行し（ステップＳ１５１４）、その後、本処理終了する。
一方、ステップＳ１５１３の判別の結果、プリント指定の解除でない場合、そのまま本処理終了となる。
【０１６１】
＜設定モード処理（ステップＳ１５０４）：図１４参照＞
図１４は、上記図１１に示したステップＳ１５０４の設定モード処理を具体的に示したものである。
【０１６２】
ステップＳ１６０１〜ステップＳ１６０３：
ユーザは、操作部７０等により、印刷注文設定をプリントサービスへのプリント指定情報として印刷注文ファイルを送信するか否かを設定する（ステップＳ１６０１）。
システム制御回路５０は、上記のユーザからの設定を認識し、印刷注文を送信する設定がなされた場合、Ｆｌｇに「送信」を設定し（ステップＳ１６０３）、そうでない場合、Ｆｌｇに「非送信」を設定する（ステップＳ１６０２）。
【０１６３】
ステップＳ１６０４〜ステップＳ１６０７：
ユーザは、操作部７０等により、プリントタイプを設定する（ステップＳ１６０４）。
システム制御回路５０は、上記のユーザからの設定を認識し、スタンダードが設定された場合、印刷注文ファイルに対してプリントタイプをスタンダードに設定し（ステップＳ１６０５）、インデックスが設定された場合、印刷注文ファイルに対してプリントタイプをインデックスに設定し（ステップＳ１６０６）、スタンダード及びインデックスの両方が設定された場合、印刷注文ファイルに対してプリントタイプをスタンダード及びインデックスの両方に設定する（ステップＳ１６０７）。
【０１６４】
ステップＳ１６０８〜ステップＳ１６１０：
ユーザは、操作部７０等により、日付をプリントするか否かを設定する（ステップＳ１６０８）。
システム制御回路５０は、上記のユーザからの設定を認識し、日付なしが設定された場合、印刷注文ファイルに対して日付なしを設定し（ステップＳ１６０９）、日付ありが設定された場合、印刷注文ファイルに対して日付ありを設定する（ステップＳ１６１０）。
【０１６５】
ステップＳ１６１１〜ステップＳ１６１３：
ユーザは、操作部７０等により、ファイル番号をプリントするか否かを設定する（ステップＳ１６１１）。
システム制御回路５０は、上記のユーザからの設定を認識し、ファイル番号なしが設定された場合、印刷注文ファイルに対してファイル番号なしを設定し（ステップＳ１６１３）、ファイル番号ありが設定された場合、印刷注文ファイルに対してファイル番号ありを設定する（ステップＳ１６１２）。
その後、本処理終了となる。
【０１６６】
＜印刷注文送信モード処理（ステップＳ１５０６）：図１５参照＞
図１５は、上記図１１に示したステップＳ１５０６の印刷注文送信モード処理を具体的に示したものである。
【０１６７】
ステップＳ１６１６：
システム制御回路５０は、情報処理装置５００と撮像装置１００が接続された状態であるか否かを判別する。
この判別の結果、情報処理装置５００と撮像装置１００が接続されている場合、次のステップＳ１６１７からの処理に進み、そうでない場合、そのまま本処理終了となる。
【０１６８】
ステップＳ１６１７：
情報処理装置５００と撮像装置１００が接続されている場合、システム制御回路５０は、Ｆｌｇ（上記図１４のフローチャートに示す処理参照）を参照することで、印刷注文ファイルを情報処理装置５００に対して送信するか否かを判別する。
この判別の結果、印刷注文ファイルを情報処理装置５００に送信する場合、次のステップＳ１６１８からの処理に進み、そうでない場合、そのまま本処理終了となる。
【０１６９】
ステップＳ１６１８：
印刷注文ファイルを情報処理装置５００に送信する場合、システム制御回路５０は、印刷注文ファイルの有無を判別する。
この判別の結果、印刷注文ファイル有りの場合、次のステップＳ１６１９からの処理に進み、そうでない場合、そのまま本処理終了となる。
【０１７０】
ステップＳ１６１９：
印刷注文ファイル有りの場合、システム制御回路５０は、当該印刷注文ファイルの解析を行う。
【０１７１】
ステップＳ１６２０：
システム制御回路５０は、ステップＳ１６１９での印刷注文ファイルの解析結果に基づいて、印刷注文で指定された画像データを順次、報処理装置５００に対して送信する。
【０１７２】
ステップＳ１６２１：
システム制御回路５０は、送信すべき画像データの有無を判別し、未だ未送信の画像データがある場合、再びステップＳ１６２０に戻り、全ての画像データを送信終了後、ステップＳ１６２２に進む。
【０１７３】
ステップＳ１６２２：
システム制御回路５０は、全ての画像データを送信終了後、印刷注文ファイルを情報処理装置５００に対して送信する。
【０１７４】
上述のように、撮像装置１００において、印刷注文ファイルの送信が可能なよに構成することで、情報処理装置５００に対して画像データ及び印刷注文ファイルを簡便に送信することが可能となる。
また、後述するように、情報処理装置５００に対してはネットワーク６０４を介して画像情報管理装置４００及びプリントサービス８００が接続されているため、印刷注文ファイル及び画像データをプリントサービス８００に対して簡便に送信することが可能となる。
【０１７５】
＜画像情報管理装置４００の動作＞
図１６は、上記図３に示した画像情報管理装置（画像ゲートウェイ）４００の動作のメインルーチンをフローチャートで示したものである。
【０１７６】
ステップＳ４００１：
画像情報管理装置４００の電源投入により、制御部４０２は、フラグ、レジスタ、及び制御変数等を初期化し、記録部４１０の領域の一部に格納されたオペレーティング・システム等の制御プログラムを、バス４１２を介して記憶部４０４に読み込み実行する。そして、制御部４０２は、画像情報管理装置４００内の各構成部を初期化する。
【０１７７】
ステップＳ４００２：
制御部４０２は、撮像装置１００から、インターネット（パケット網）６００、ネットワーク６０２、及び通信部４１４を介して、或いは、プリントサービス（通信機能）８００から、ネットワーク６０６、インターネット６００、ネットワーク６０２、及び通信部４１６を介して、コマンドやデータ等の受信有りか否かを判別する。
この判別の結果、受信有りの場合に次のステップＳ４００３に進み、受信無しの場合にはそのまま受信待ち状態となる。
【０１７８】
ステップＳ４００３：
コマンドやデータ等の受信有りの場合、制御部４０２は、情報処理装置５００或いはプリントサービス８００から、コマンド及び／又は画像データ及び／又はそれらの付加情報等を受信し、当該受信データを記憶部４０４の所定領域及び／又は記録手段４１０の所定領域に格納する。
【０１７９】
ステップＳ４００４：
制御部４０２は、ステップＳ４００３での受信データが、情報処理装置５００からの、課金管理部４２０が備える課金情報データベースへの課金登録を依頼するコマンド及び／又はデータであるか否かを判別する。
この判別の結果、課金登録依頼の場合にはステップＳ４００５に進み、そうでない場合にはステップＳ４００７に進む。
【０１８０】
ステップＳ４００５：
受信データが、情報処理装置５００からの、課金管理部４２０が備える課金情報データベースへの課金登録を依頼するコマンド及び／データである場合、制御部４０２は、当該受信データにより示される機器固有情報及び／又は課金入力内容を、課金管理部４２０が備える課金情報データベースの所定領域に格納（登録）する。
【０１８１】
上述のように、撮像装置１００固有の識別情報、又は情報処理装置５００により登録された固有の識別情報を用いて、情報処理装置５００のアカウントを課金情報データベースに登録することにより、課金管理部４２０での課金管理、画像格納部４１８での画像格納管理、及び暗号／復号部４２２での復号処理に連携した画像情報管理装置（画像ゲートウェイ）４００が提供する各種サービス、例えば、撮像画像データのアップロードによる画像管理サービス、及び／又は、撮像画像データのプリントサービス８００による印刷サービスを、情報処理装置５００に対して提供することが可能となる。
【０１８２】
ステップＳ４００６：
制御部４０２は、ステップＳ４００５での登録（課金データベースへの登録）が正常に行われたか否かを判別する。
この判別の結果、登録ＯＫの場合には再びステップＳ４００２に戻り、登録ＯＫでない場合にはステップＳ４０１９に進む。
【０１８３】
ステップＳ４０１９：
課金データベースへの登録が正常に行われなかった場合、制御部４０２は、通信部４１６及びネットワーク６０２を介して、情報処理装置５００からの課金登録依頼に関するエラー通知を、情報処理装置５００に対して返答する。
その後、再びステップＳ４００２に戻る。
【０１８４】
ステップＳ４００７：
ステップＳ４００４の判別の結果、受信データが、情報処理装置５００からの、課金管理部４２０が備える課金情報データベースへの課金登録を依頼するコマンド及び／データでない場合、制御部４０２は、受信データが、撮像画像データのアップロードを依頼するコマンドであるか否かを判別する。
この判別の結果、撮像画像データのアップロードを依頼するコマンドである場合にはステップＳ４００８に進み、そうでない場合にはステップＳ４０１７に進む。
【０１８５】
ステップＳ４００８：
撮像画像データのアップロードを依頼するコマンドを受信した場合、制御部４０２は、当該受信コマンドにより示される課金登録情報が正しく設定された情報であるか否かを判別する。
この判別の結果、課金登録情報が正しい場合にはステップＳ４０１０に進み、そうでない場合にはステップＳ４００９に進む。
【０１８６】
ステップＳ４００９：
課金登録情報が正しい情報でない場合、制御部４０２は、ネットワーク６０２を介して、情報処理装置５００からのアップロード依頼に関するエラー通知を情報処理装置５００に対して返答する。
その後、再びステップＳ４００２に戻る。
【０１８７】
ステップＳ４０１０、ステップＳ４０１１：
課金登録情報が正しい情報である場合、制御部４０２は、情報処理装置５００から、ネットワーク６０２を介して画像データを受信し（ステップＳ４０１０）、当該受信画像データを、画像格納部４１８の所定領域に記録する（ステップＳ４０１１）。
【０１８８】
ステップＳ４０１２：
制御部４０２は、上記受信画像データと共に送付されたプリントサービス指定情報が正しく設定された情報であるか否かを判別する。
この判別の結果、プリントサービス指定情報が正しい場合にはステップＳ４０１３に進み、そうでない場合には上述したステップＳ４００９を介して再びステップＳ４００２に戻る。
【０１８９】
ステップＳ４０１３、ステップＳ４０１４：
プリントサービス指定情報が正しい情報である場合、制御部４０２は、引換情報を識別する情報を生成して引換情報に付加した後に（ステップＳ４０１３）、プリントサービス指定情報により指定されたプリントサービス８００に対して、上記受信画像データを送信する（ステップＳ４０１４）。
【０１９０】
ステップＳ４０１５：
制御部４０２は、ステップＳ４０１４でのプリントサービス８００に対するデータ送信に対して、プリントサービス８００からエラー通知を受けたか否かを判別する。
この判別の結果、エラー通知ありの場合には上述したステップＳ４００９を介して再びステップＳ４００２に戻り、エラー通知なしの場合にはステップＳ４０１６に進む。
【０１９１】
ステップＳ４０１６：
プリントサービス８００からのエラー通知なしの場合、制御部４０２は、情報処理装置５００に対して、ステップＳ４０１３での引換情報を送信する。
その後、再びステップＳ４００２に戻る。
【０１９２】
上述のような動作が実施されることにより、例えば、撮像装置１００のユーザは、プリントラボ業者の店頭を訪れ、プリントサービス８００（印刷機能）によるプリント結果（写真プリント）を受け取ることができる。
【０１９３】
すなわち、情報処理装置５００は、プリントサービス８００（印刷機能）からの問い合わせに応じて、この引換情報をプリントサービス８００（印刷機能）に返答することで、画像情報管理装置（画像ゲートウェイ）４００は、撮像装置１００から受信した画像データのプリントを、プリントサービス８００（印刷機能）に対して依頼する。
【０１９４】
一方、プリントサービス８００（印刷機能）は、情報処理装置５００から返答された引換情報に応じて、画像データを受信してプリント処理する。
【０１９５】
また、プリントサービス８００（印刷機能）は、画像情報管理装置（画像ゲートウェイ）４００から、引換情報を識別する情報を、プリント処理する画像データ（印刷画像データ）と共に受信し、画像情報管理装置（画像ゲートウェイ）４００から受信した引換情報を識別する情報と、情報処理装置５００から受信した引換情報を識別する情報とを照合する。
【０１９６】
上記の照合の結果、それぞれの引換情報に問題が無ければ、プリントサービス８００（印刷機能）及び／又はそのユーザ（作業者等）は、プリント処理結果（写真プリント）を、撮像装置１００のユーザに引き渡す。
【０１９７】
その後、プリントサービス８００（印刷機能）は、上記の照合結果を画像情報管理装置（画像ゲートウェイ）４００に対して通知し、画像情報管理装置（画像ゲートウェイ）４００は、当該通知に基づいて、課金管理管理部４２０の課金データベースの内容を更新し、プリントサービス８００（印刷機能）から情報処理装置５００に対する課金を要求する。
【０１９８】
ステップＳ４０１７：
ステップＳ４００７の判別の結果、受信コマンドが、撮像画像データのアップロードを依頼するコマンドでない場合、制御部４０２は、受信コマンドが、情報処理装置５００からの、撮像画像データのダウンロードを依頼するコマンドであるか否かを判別する。
この判別の結果、情報処理装置５００からの撮像画像データのダウンロードを依頼するコマンドである場合にはステップＳ４０１８に進み、そうでない場合にはステップＳ４０２２に進む。
【０１９９】
ステップＳ４０１８：
情報処理装置５００からの撮像画像データのダウンロードを依頼するコマンドを受信した場合、制御部４０２は、当該受信コマンドにより示される課金登録情報が正しく設定された情報であるか否かを判別する。
この判別の結果、課金登録情報が正しい場合にはステップＳ４０２０に進み、そうでない場合にはステップＳ４０１９に進む。
【０２００】
ステップＳ４０１９：
課金登録情報が正しい情報でない場合、制御部４０２は、ネットワーク６０２を介して、情報処理装置５００からのダウンロード依頼に関するエラー通知を、情報処理装置５００に対して返答する。
その後、再びステップＳ４００２に戻る。
【０２０１】
ステップＳ４０２０、ステップＳ４０２１：
課金登録情報が正しい情報である場合、制御部４０２は、画像格納部４１８の所定領域に格納された画像データを読み出し（ステップＳ４０２０）、当該読出画像データを、ネットワーク７０２を介して撮像装置１００に対して送信する（ステップＳ４０２１）。
その後、再びステップＳ４００２に戻る。
【０２０２】
ステップＳ４０２２：
ステップＳ４０１７の判別の結果、受信コマンドが、情報処理装置５００からの撮像画像データのダウンロードを依頼するコマンドでない場合、制御部４０２は、プリントサービス８００からの課金要求通知を受信したか否かを判別する。
この判別の結果、プリントサービス８００からの課金要求通知を受信した場合にはステップＳ４０２３に進み、そうでない場合にはそのままステップＳ４００２に戻る。
【０２０３】
ステップＳ４０２３：
プリントサービス８００からの課金要求通知を受信した場合、制御部４０２は、課金管理部４２０の所定領域に格納された、情報処理装置５００に対する課金情報を更新する。
その後、再びステップＳ４００２に戻る。
【０２０４】
＜情報処理装置５００の動作＞
図１７は、上記図４に示した情報処理装置５００の動作のメインルーチンをフローチャートで示したものである。
【０２０５】
ステップＳ５００１：
情報処理装置５００の電源投入により、制御部５０２は、フラグ、レジスタ、及び制御変数等の初期化処理を実行し、記録部５１０の領域の一部に格納されたオペレーティング・システム等の制御プログラムを、バス５１２を介して記憶部５０４に読み込み実行する。そして、制御部５０２は、画像情報管理装置５００内の各構成部を初期化する。
【０２０６】
ステップＳ５００２：
制御部５０２は、撮像装置１００から、通信部１１０を介してコマンドやデータ等の通知を受信したか否かを判別する。
この判別の結果、撮像装置１００からの受信ありの場合にはステップＳ５００３に進み、撮像装置１００からの受信なしの場合にはそのまま受信待ち状態となる。
【０２０７】
ステップＳ５００３：
撮像装置１００からのコマンドやデータ等の通知を受信した場合、制御部５０２は、撮像装置１００から、コマンド及び／又は画像データ及び／又は印刷注文ファイル及び／又はそれらの付加情報を受信し、これを記憶部５０４の所定領域及び／又は記録部５１０の所定領域に格納する。
【０２０８】
ステップＳ５００４：
制御部５０２は、ステップＳ５００３での受信コマンドや受信データ等により、撮像装置１００から印刷注文ファイルを受信したか否かを判別する。
この判別の結果、撮像装置１００から印刷注文ファイルを受信した場合にはステップＳ５００７に進み、そうでない場合にはステップＳ５００５に進む。
【０２０９】
ステップＳ５００５：
撮像装置１００からの印刷注文ファイルの受信なしの場合、制御部５０２は、ステップＳ５００３で撮像装置１００から受信した画像データを、画像格納部５１８の所定領域に記録する。
その後、再びステップＳ５００３に戻る。
【０２１０】
ステップＳ５００７：
撮像装置１００からの印刷注文ファイルの受信ありの場合、制御部５０２は、当該印刷注文ファイルを記憶部５０４の所定領域及び／又は記録部５１０の所定領域に格納する。
【０２１１】
ステップＳ５００８〜ステップＳ５０１０：
制御部５０２は、画像格納部５１８に格納された画像データを順次読み出し（ステップＳ５００８）、当該読出画像データを画像情報管理装置４００に対して送信し（ステップＳ５００９）、次に送信すべき画像データが存在するか否かを判別し（ステップＳ５０１０）、この判別の結果、次の画像データありの場合には再びステップＳ５００８からの処理を実行し、全ての画像データを送信後に、次のステップＳ５０１１に進む。
【０２１２】
ステップＳ５０１１：
制御部５０２は、ステップＳ５００７で記憶部５０４の所定領域及び／又は記録部５１０の所定領域に格納した印刷注文ファイルを画像情報管理装置４００に対して送信する。
【０２１３】
＜プリントサービス８００（印刷機能）の動作説明＞
図１８は、上記図５に示したプリントサービス８００（以下、「印刷装置８００」とも言う）の動作のメインルーチンをフローチャートで示したものである。
【０２１４】
ステップＳ８００１：
印刷装置８００の電源投入により、制御部８０２は、フラグ、レジスタ、及び制御変数等を初期化し、記録部８１０の領域の一部に格納されたオペレーティング・システム等の制御プログラムを、バス８１２を介して記憶部８０４に読み込み実行する。そして、制御部８０２は、印刷装置８００内の各構成部を初期化する。
【０２１５】
ステップＳ８００２：
制御部８０２は、画像情報管理装置（画像ゲートウェイ）４００から、ネットワーク６０２、インターネット６００、及びネットワーク６０６を介して、コマンドやデータ等の通知がなされたか否かを判別する。
この判別の結果、画像情報管理装置（画像ゲートウェイ）４００からの通知ありの場合にはステップＳ８００３に進み、そうでない場合にはステップＳ８０１１に進む。
【０２１６】
ステップＳ８００３：
画像情報管理装置（画像ゲートウェイ）４００からの通知ありの場合、制御部８０２は、画像情報管理装置（画像ゲートウェイ）４００から、コマンド及び／又は画像データ及び／又はそれらの付加情報を受信し、これを記憶部８０４の所定領域及び／又は記録部８１０の所定領域に格納する。
【０２１７】
ステップＳ８００４：
制御部８０２は、ステップＳ８００３での受信コマンド或いは受信データにより、画像情報管理装置（画像ゲートウェイ）４００から、印刷画像データを受信するコマンドを受信したか否かを判別する。
この判別の結果、印刷画像データ受信コマンドを受信した場合にはステップＳ８００５に進み、そうでない場合にはステップＳ８０１０に進む。
【０２１８】
ステップＳ８０１０：
画像情報管理装置（画像ゲートウェイ）４００から、印刷画像データを受信するコマンドを受信していない場合、制御部８０２は、受信コマンド或いは受信データの内容に応じた処理を実行する。
その後、再びステップＳ８００２に戻る。
【０２１９】
ステップＳ８００５〜ステップＳ８００７：
画像情報管理装置（画像ゲートウェイ）４００から、印刷画像データを受信するコマンドを受信した場合、制御部８０２は、画像情報管理装置（画像ゲートウェイ）４００から、印刷画像データを、画像情報管理装置（画像ゲートウェイ）４００の通信部４１６、ネットワーク６０２、インターネット６００、ネットワーク６０６、及び通信部８１４を介して受信し（ステップＳ８００５）、当該受信印刷画像データを記憶部８０４の所定領域及び／又は記録部８１０の所定領域に順次格納すると共に（ステップＳ８００６）、当該受信印刷画像データに添付された、引換情報を識別する情報を記憶部８０４の所定領域及び／又は記録部８１０の所定領域に格納する（ステップＳ８００７）。
【０２２０】
ステップＳ８００８：
制御部８０２は、ステップＳ８００５〜ステップＳ８００７での受信処理が正常終了したか否かを判別する。
この判別の結果、受信正常終了の場合には再びステップＳ８００２に戻り、そうでない場合にはステップＳ８００９に進む。
【０２２１】
ステップＳ８００９：
受信正常終了でない場合、制御部８０２は、通信部８１４、ネットワーク６０６、インターネット６００、ネットワーク６０２、画像情報管理装置（画像ゲートウェイ）４００の通信部４１６を介して、ステップＳ８００５〜ステップＳ８００７における印刷画像データ受信処理に関するエラー通知を、画像情報管理装置（画像ゲートウェイ）４００に対して返答する。
その後、再びステップＳ８００２に戻る。
【０２２２】
以上のような動作により、撮像装置１００で得られた撮像画像データは、画像情報管理装置（画像ゲートウェイ）４００に送付格納され、その後、印刷装置８００に対して転送されることになる。
そして、後述するように、印刷装置８００に転送された画像データは、その印刷部８２０により、プリント処理される。
【０２２３】
したがって、撮像装置１００のユーザは、例えば、撮像装置１００を携帯して、撮影、再生、及び通信を随時行うことが可能となり、また、撮像画像を画像情報管理装置（画像ゲートウェイ）４００に送付格納し、さらに、当該格納画像を印刷装置８００に転送してプリント処理することができる。
【０２２４】
また、撮像装置１００のユーザは、撮像装置１００を、印刷装置８００（プリントサービス８００）を備えるプリントラボ業者に持ちこむことで、撮像装置１００と印刷装置８００が所定の空間距離内に位置することができる。この結果、撮像装置１００と印刷装置８００は、撮像装置１００の通信部１１４及びアンテナ１１６と、印刷装置８００のアンテナ８２４及び通信部８２２を介して、Ｂｌｕｅｔｏｏｔｈ等の無線通信を行うことが可能となる。
【０２２５】
上記のＢｌｕｅｔｏｏｔｈ等の無線通信が可能な空間状態においても、後述するように、印刷装置８００は、撮像装置１００に対して撮像装置問い合わせ等を行うことが可能となる。
【０２２６】
ステップＳ８０１１：
ステップＳ８００２の判別の結果、画像情報管理装置（画像ゲートウェイ）４００からの通知ありの場合、制御部８０２は、通信部８２２及びアンテナ８２４と、撮像装置１００のアンテナ１１６及び通信部１１４とを介して、例えば、Ｂｌｕｅｔｏｏｔｈ等の無線通信により、撮像装置１００に対して撮像装置問い合わせを行う。
【０２２７】
ステップＳ８０１２：
制御部８０２は、撮像装置１００から、撮像装置１００の通信部１１４及びアンテナ１１６と、アンテナ８２４及び通信部８２２とを介して、ステップＳ８０１１における撮像装置問い合わせ対する回答がなされたか否かを判別する。
この判別の結果、回答ありの場合にはステップＳ８０１３に進み、回答なしの場合には再びステップＳ８００２に戻る。
【０２２８】
ステップＳ８０１３：
撮像装置１００から回答があった場合、制御部８０２は、ステップＳ８００２で受信したコマンドやデータ等の内容が、撮像装置１００から返答された引換情報であるか否かを判別する。
この判別の結果、撮像装置１００からの引換情報である場合にはステップＳ８０１５に進み、そうでない場合にはステップＳ８０１４に進む。
【０２２９】
ステップＳ８０１４：
撮像装置１００からの引換情報でない場合、制御部８０２は、ステップＳ８００２で受信したコマンド或いはデータ等の内容に応じた処理を実行する。
その後、再びステップＳ８００２に戻る。
【０２３０】
ステップＳ８０１５：
撮像装置１００からの引換情報である場合、制御部８０２は、当該引換情報により印刷を開始するよう指定された印刷画像データが、記憶部８０４の所定領域及び／又は記録部８１０の所定領域に格納されているか否かを判別する。
この判別の結果、印刷画像データ格納ありの場合にはステップＳ８０１６に進み、そうでない場合にはステップＳ８０１８に進む。
【０２３１】
ステップＳ８０１６：
印刷画像データ格納ありの場合、制御部８０２は、撮像装置１００からの引換情報と、印刷画像データと共に画像情報管理装置４００から送信された引換情報を識別する情報との照合を行う。
【０２３２】
ステップＳ８０１７：
ステップＳ８０１６での照合の結果、問題ありの場合にはステップＳ８０１８に進み、問題なしの場合にはステップＳ８０２０に進む。
【０２３３】
ステップＳ８０１８、ステップＳ８０１９：
ステップＳ８０１５の判別の結果、印刷データ格納なしの場合、或いはステップＳ８０１７の判別の結果、引換情報と、引換情報を識別する情報との照合の結果に問題ありの場合、制御部８０２は、例えば、表示部８０６を用いて画像や音声により所定の警告表示を行うと共に（ステップＳ８０１８）、撮像装置１００に対して、通信部８２２、アンテナ８２４、アンテナ１１６、及び通信部１１４を介して、エラー通知を返信する（ステップＳ８０１９）。
その後、再びステップＳ８００２に戻る。
【０２３４】
ステップＳ８０２０〜ステップＳ８０２３：
ステップＳ８０１６での照合の結果、問題なしの場合、制御部８０２は、記憶部８０４の所定領域及び／又は記録部８１０の所定領域に格納された印刷画像データを読み出し（ステップＳ８０２０）、当該印刷画像データに対して、暗号／復号部８１６による所定の復号処理（ステップＳ８０２１）、圧縮／伸張部８１８による所定の伸張処理（ステップＳ８０２２）、印刷部８２０による印刷情報の指示内容に応じた画像印刷処理を順次施す（ステップＳ８０２３）。
【０２３５】
ステップＳ８０２４：
制御部８０２は、次に印刷処理すべき画像データの有無を判別する。
この判別の結果、未処理の画像データありの場合には再びステップＳ８０２０に戻り、全ての画像データの印刷処理終了の場合にはステップＳ８０２５に進む。
【０２３６】
ステップＳ８０２５：
制御部８０２は、ステップＳ８０２３での印刷処理に係る課金を要求する課金要求通知を、画像情報管理装置（画像ゲートウェイ）４００に対して送信する。
その後、再びステップＳ８００２に戻る。
【０２３７】
上述のような動作が実施されることで、撮像装置１００のユーザは、撮像装置１００により取得し、画像情報管理装置（画像ゲートウェイ）４００に送信格納した撮像画像データのプリント処理（写真プリント）を購入受け取りするために、プリントラボ業者の店頭を訪れ、印刷装置（プリントサービス）８００で得られた写真プリントを受け取ることができる。
【０２３８】
すなわち、撮像装置１００は、印刷装置（プリントサービス）８００からの撮像装置問い合わせを受け、当該撮像装置問い合わせに応じて、画像情報管理装置（画像ゲートウェイ）４００から送付された引換情報を印刷装置（プリントサービス）８００に返答することで、画像情報管理装置（画像ゲートウェイ）４００を介して、撮像画像データ（印刷画像データ）のプリントを、印刷装置（プリントサービス）８００に依頼する。
【０２３９】
また、印刷装置（プリントサービス）８００は、画像情報管理装置（画像ゲートウェイ）４００から引換情報を識別する情報を印刷画像データと共に受信し、画像情報管理装置（画像ゲートウェイ）４００から受信した引換情報を識別する情報と、撮像装置１００から受信した引換情報とを照合する。この照合の結果、問題が無ければ、印刷装置（プリントサービス）８００及び／或いは印刷装置（プリントサービス）８００のユーザ（作業者等）は、印刷処理結果（写真プリント）を撮像装置１００のユーザに引き渡す。
【０２４０】
そして、印刷装置（プリントサービス）８００は、上記の照合結果を画像情報管理装置（画像ゲートウェイ）４００に通知し、画像情報管理装置（画像ゲートウェイ）４００は、当該通知に従って、課金管理管理部４２０の課金データベースの内容を更新する。
【０２４１】
尚、撮像装置１００のユーザが行う、写真プリント代金の支払いの方法としては、例えば、画像情報管理装置（画像ゲートウェイ）４００が備える課金管理管理部４２０の課金データベースの内容を更新することによる支払方法の他、プリントラボ業者の作業員が、撮像装置１００のユーザから店頭で直接支払いを受ける方法や、これらの方法の組み合わせによる方法等を適用可能である。
【０２４２】
上述したような本実施の形態によれば、撮像装置１００から情報処理装置５００に送付格納（アップロード）した撮像画像データ及び印刷注文ファイルを、画像情報管理装置（画像ゲートウェイ）４００に送付格納（アップロード）し、さらに、所定の印刷装置（プリントサービス）８００に転送することで、様々なプリントサービス８００のプリント注文方法に対して、撮像装置１００で設定される印刷注文ファイルを利用することが可能となる。
【０２４３】
［第２の実施の形態］
本実施の形態では、上記図１に示したシステム９００において、撮像装置１００及び情報処理装置５００の構成及び動作を、以下に説明するような構成及び動作とする。
【０２４４】
尚、ここでは説明の簡単のため、第１の実施の形態と異なる構成及び動作についてのみ具体的に説明する。
【０２４５】
＜撮像装置１００の構成及び動作＞
図１９は、上記図６に示した撮像装置１００のメインルーチンにおいて、ステップＳ１０１６の印刷注文設定モード処理（上記図１１参照）で実行される、ス
テップＳ１５０６の処理を示したものである。
すなわち、本実施の形態では、上記図１５に示した印刷注文送信モード処理の代わりに、図１９に示す処理が実行される。
【０２４６】
ステップＳ１７１６：
システム制御部５０は、情報処理装置５００と撮像装置１００が接続されているか否かを判別する。
この判別の結果、情報処理装置５００と撮像装置１００が接続されている場合にはステップＳ１７１８に進み、情報処理装置５００と撮像装置１００が接続されていない場合にはそのまま本処理終了する。
【０２４７】
ステップＳ１７１８：
情報処理装置５００と撮像装置１００が接続されている場合、システム制御部５０は、印刷注文ファイルの有無を判別する。
この判別の結果、印刷注文ファイルありの場合にはステップＳ１７１９に進み、印刷注文ファイルなしの場合にはそのまま本処理終了する。
【０２４８】
ステップＳ１７１９、ステップＳ１７２０：
印刷注文ファイルありの場合、システム制御部５０は、当該印刷注文ファイルの解析を行い（ステップＳ１７１９）、当該解析結果に基づいて、印刷注文ファイルで指定された画像データを順次、情報処理装置５００に対して送信する（ステップＳ１７２０）。
【０２４９】
ステップＳ１７２１：
システム制御部５０は、全ての画像データを送信終了したか否かを判別し、この判別の結果、未送信の画像データありの場合には再びステップＳ１７２０からの処理を実行し、全ての画像データ送信終了すると、次のステップＳ１７２２に進む。
【０２５０】
ステップＳ１７２２、ステップＳ１７２３：
システム制御部５０は、印刷注文ファイルを情報処理装置５００に対して送信し（ステップＳ１７２２）、設定モードで設定した印刷注文を「送信」或いは「非送信」であるかを示す送信指定情報を情報処理装置４００に対して送信する（ステップＳ１７２３）。
その後、本処理終了（リターン）となる。
【０２５１】
以上のように、本実施の形態では、撮像装置１００で印刷注文ファイルの送信を行えるように構成したので、撮像装置１００から情報処理装置５００に対して、画像データ及び印刷注文ファイルを簡便に送信することが可能となる。
また、後述するように、情報処理装置５００には、ネットワークを介して画像情報管理装置４００及びプリントサービス８００が接続されているため、情報処理装置５００からプリントサービス８００に対して、印刷注文ファイル及び画像データを簡便に送信することが可能となる。
【０２５２】
＜情報処理装置５００の構成及び動作＞
図２０は、本実施の形態における情報処理装置５００のメインルーチンを示したものである。
【０２５３】
ステップＳ５１０１：
情報処理装置５００の電源投入により、制御部５０２は、フラグ、レジスタ、及び制御変数等を初期化し、記録部５１０の領域の一部に格納されたオペレーティング・システム等の制御プログラムを、バス５１２を介して記憶部５０４に読み込み実行する。そして、制御部５０２は、情報処理装置５００内の各構成部を初期化する。
【０２５４】
ステップＳ５１０２：
制御部５０２は、撮像装置１００から、通信部１１０を介して、コマンドやデータ等の受信の通知がなされたか否かを判別判断する。
この判別の結果、撮像装置１００からの通知ありの場合にはステップＳ５１０３に進み、そうでない場合には通知待ち状態となる。
【０２５５】
ステップＳ５１０３：
撮像装置１００からコマンドやデータ等の受信の通知がなされると、制御部５０２は、撮像装置１００から、コマンド及び／又は画像データ及び／又は印刷注文ファイル及び／又はそれらの付加情報を受信し、これを記憶部５０４の所定領域及び／又は記録部５１０の所定領域に格納する。
【０２５６】
ステップＳ５１０４：
制御部５０２は、ステップＳ５１０３で受信したコマンドやデータ等により、撮像装置１００から送信指定がなされたか否かを判別する。
この判別の結果、撮像装置１００から送信指定ありの場合にはステップＳ５１０９に進み、そうでない場合にはステップＳ５１０５に進む。
【０２５７】
ステップＳ５１０５：
撮像装置１００から送信指定なしの場合、制御部５０２は、印刷注文ファイルの有無を判別する。
この判別の結果、印刷注文ファイルありの場合にはステップＳ５１０６に進み、そうでない場合にはステップＳ５１０８に進む。
【０２５８】
ステップＳ５１０６：
印刷注文ファイルありの場合、制御部５０２は、当該印刷注文ファイルを記憶部５０４の所定領域及び／又は記録部５１０の所定領域に格納する。
その後、再びステップＳ５１０３に戻る。
【０２５９】
ステップＳ５１０８：
印刷注文ファイルありの場合、制御部５０２は、撮像装置１００から、ネットワーク６０４を介して画像データを受信し、これを画像格納部５１８の所定領域に記録する。
その後、再びステップＳ５１０３に戻る。
【０２６０】
ステップＳ５１０９：
ステップＳ５１０４の判別の結果、撮像装置１００から送信指定ありの場合、制御部５０２は、当該送信指定が「送信」であるか否かを判別する。
この判別の結果、「送信」でない場合（送信しない場合）にはステップＳ５１１０に進み、「送信」である場合（送信する場合）にはステップＳ５１１１に進む。
【０２６１】
ステップＳ５１１０：
送信指定が「送信」でない場合、制御部５０２は、当該送信指定を「送信」に変更するか否かを判別する。
この判別の結果、送信指定を「送信」に変更する場合には、当該変更を行った後、ステップＳ５１１１に進む。一方、送信指定を「送信」に変更しない場合には、そのまま再びステップＳ５１０２に戻る。
【０２６２】
ステップＳ５１１１、ステップＳ５１１２：
送信指定が「送信」、或いはステップＳ５１１０で送信指定を「送信」に変更すると、制御部５０２は、画像格納部５１８に格納された画像データを順次読み出し（ステップＳ５１１１）、当該画像データを画像情報管理装置４００に対して送信する。
【０２６３】
ステップＳ５１１３：
制御部５０２は、未送信の画像データの有無を判別し、未だ送信すべき画像データがある場合には再びステップＳ５１１１からの処理を実行し、全ての画像データを送信した後に、次のステップＳ５１１４に進む。
【０２６４】
ステップＳ５１１４：
画像格納部５１８に格納された画像データを全て送信し終えると、制御部５０２は、記憶部５０４の所定領域及び／又は記録部５１０の所定領域に格納された印刷注文ファイルを、画像情報管理装置４００に対して送信する。
【０２６５】
上述したような本実施の形態によれば、画像情報管理装置４００から情報処理装置５００への印刷注文設定及び画像データの送信及び選択を、撮像装置１００で行えると共に、情報処理装置４００においても変更（設定）することができる。
【０２６６】
［第３の実施の形態］
上述した第１及び第２の実施の形態における構成及び動作を、以下に説明するような構成及び動作としてもよい。
【０２６７】
（１）上述した実施の形態では、印刷装置（プリントサービス）８００が、ステップＳ８０１１（上記図１８参照）において、撮像装置１００に対して、Ｂｌｕｅｔｏｏｔｈ等を用いた撮像装置問い合わせ処理を実行し、画像情報管理装置４００が、ステップＳ４０１６において（上記図１６参照）、印刷装置（プリントサービス）８００からの問い合わせに応じて、撮像装置１００に対して、引換情報を送信するように構成したが、例えば、撮像装置１００が、印刷装置（プリントサービス）８００に対して、Ｂｌｕｅｔｏｏｔｈ等を用いた印刷装置問い合わせ処理を実行し、この問い合わせに対する印刷装置（プリントサービス）８００からの返答に応じて、印刷装置（プリントサービス）８００に対して引換情報を送信するように構成してもよい。
【０２６８】
（２）上述した実施の形態では、撮像装置１００が、画像情報管理装置（画像ゲートウェイ）４００に対して撮像画像データを送信し、当該撮像画像データを画像情報管理装置（画像ゲートウェイ）４００から印刷装置（プリントサービス）８００に転送させてプリント処理させるために、何れの印刷装置（プリントサービス）を印刷先に指定するかを初期設定する際に、ステップＳ１９０４において入力された住所情報を用いて初期設定する或いは選択を行う候補を設定するように構成したが、例えば、画像情報管理装置（画像ゲートウェイ）４００において、撮像装置１００から送付された住所情報を用いて、何れの印刷装置（プリントサービス）を印刷先に指定するかを初期設定する或いは選択を行う候補を設定し、当該設定結果を撮像装置１００に通知するようにしてもよい。
【０２６９】
（３）上述した実施の形態では、撮像装置１００、画像情報管理装置（画像ゲートウェイ）４００、及び印刷装置（プリントサービス）８００をそれぞれ１台設ける構成としたが、この設置数に限られることはなく、撮像装置１００を単数或いは複数、画像情報管理装置（画像ゲートウェイ）４００を単数或いは複数、印刷装置（プリントサービス）８００を単数或いは複数設けるようにしてもよい。の構成の何れの組み合わせであっても構わない。
【０２７０】
（４）上述した実施の形態では、撮像装置１００が、撮像機能部分と、携帯電話機能を有する通信部１１０を含む通信機能部分とが一体化された構成としたが、例えば、撮像機能部分と通信機能部分を別体とする構成としてもよい。
【０２７１】
上記の場合、例えば、撮像機能部分と通信機能部分を、ＵＳＢ等の有線通信或いはＢｌｕｅｔｏｏｔｈ等の無線通信により、相互に通信可能な構成とすればよい。また、インターネット６００を介した画像情報管理装置（画像ゲートウェイ）４００との間のコマンドやデータの送受を。撮像装置１００の通信機能部分で行い、印刷装置（プリントサービス）８００との間のコマンドやデータの送受を、撮像装置１００の撮像機能部分で行うようにすればよい。
【０２７２】
（５）上述した実施の形態では、撮像装置１００が、撮像機能部分と、携帯電話機能を有する通信部１１０を含む通信機能部分とが一体化された構成としたが、例えば、撮像装置１００の構成を、撮像機能部分を有する電子カメラと、通信機能部分を有する携帯電話とを組み合わせた構成としてもよい。
【０２７３】
上記の場合、例えば、撮像装置１００の一部である電子カメラと、撮像装置１００の一部である携帯電話とを、ＵＳＢ等の有線通信或いはＢｌｕｅｔｏｏｔｈ等の無線通信により相互に通信可能な構成とすればよい。また、インターネット６００を介した画像情報管理装置（画像ゲートウェイ）４００との間のコマンドやデータの送受、及び印刷装置（プリントサービス）８００との間のコマンドやデータの送受を、撮像装置１００の一部である携帯電話により行い、撮影等を撮像装置１００の一部である電子カメラにより行うように構成すればよい。
【０２７４】
これにより、撮像装置１００での引換情報の取り扱いは、撮像装置１００の一部である携帯電話により行うことが可能となり、当該引換情報を、プリント受け取り時に、印刷装置（プリントサービス）８００からの問い合わせに応じて、撮像装置１００の一部である携帯電話から印刷装置（プリントサービス）８００に対して返答することが可能となる。
【０２７５】
また、撮像装置１００のユーザは、撮像装置１００の一部である電子カメラを、印刷装置（プリントサービス）８００を有するプリントラボ業者側に持参することなく、撮像装置１００の一部である携帯電話のみをプリントラボ業者側に持ち込むことで、印刷装置（プリントサービス）８００でのプリント処理結果を受け取ることが可能となる。
【０２７６】
（６）上述した実施の形態では、撮像装置１００から画像情報管理装置（画像ゲートウェイ）４００に対して、撮像画像データを送付格納（アップロード）する際に、プリントを受け取るための引換情報が画像情報管理装置（画像ゲートウェイ）４００から返送され、その結果、撮像装置１００自身が、当該引換情報をプリント受け取り時に印刷装置（プリントサービス）８００からの問い合わせに応じて印刷装置（プリントサービス）８００に返答することで、当該引換情報に基づいて、該当する撮像画像データを画像情報管理装置（画像ゲートウェイ）４００から印刷装置（プリントサービス）８００に転送させることで、撮像装置１００のユーザが、印刷装置（プリントサービス）８００でのプリント処理結果を受け取ることが可能な構成としたが、例えば、当該引換情報を友人等の第三者が所持する撮像装置１００に転送することで、友人等の第三者が所持する撮像装置１００が、当該引換情報をプリント受け取り時に印刷装置（プリントサービス）８００からの問い合わせに応じて印刷装置（プリントサービス）８００に返答するし、当該引換情報に基づいて、該当する撮像画像データを画像情報管理装置（画像ゲートウェイ）４００から印刷装置（プリントサービス）８００に転送させるようにしてもよい。
【０２７７】
また、上述したように、友人等の第三者が所持する撮像装置１００の一部として代用可能な携帯電話に対して、上記引換情報を転送するようにしてもよい。
この場合、印刷装置（プリントサービス）８００は、撮像装置１００或いは撮像装置１００の一部として代用可能な携帯電話に対する問い合わせを行い、それに応じて返答された引換情報に基づいて、当該引換情報に応じた撮像画像データを画像情報管理装置（画像ゲートウェイ）４００に要求して受信し、当該受信画像データのプリント処理を実行し、撮像装置１００或いは撮像装置１００の一部として代用可能な携帯電話のユーザに対してプリントの受け渡しを可能とすると共に、画像情報管理装置（画像ゲートウェイ）４００が有する課金管理部４２０に対して、印刷装置（プリントサービス）８００から撮像装置１００に関する課金を要求することにより、プリント代金の支払いを受けることを可能とする。
【０２７８】
このとき、印刷装置（プリントサービス）８００から撮像装置１００に関する課金を要求する代わりに、印刷装置（プリントサービス）８００から、友人等の第三者に対して支払いを求めるようにすることも可能である。
【０２７９】
（７）上述した実施の形態では、撮像装置１００が有する記録媒体２００としては、例えば、ＰＣＭＣＩＡ（Ｐｅｒｓｏｎａｌ　Ｃｏｍｐｕｔｅｒ　Ｍｅｍｏｒｙ　Ｃａｒｄ　Ｉｎｔｅｒｎａｔｉｏｎａｌ　Ａｓｓｏｃｉａｔｉｏｎ）カードや、ＣＦ（コンパクトフラッシュ（Ｒ））カード、ＭＭＣ（マルチメディアカード）、ＳＤカード等のメモリカード、或いはハードディスク等だけでなく、マイクロＤＡＴや、光磁気ディスク、ＣＤ−ＲやＣＤ−ＷＲ等の光ディスク、或いはＤＶＤ等の相変化型光ディスク等を適用可能である。また、記録媒体２００が、例えば、メモリカードとハードディスク等が一体となった複合媒体であっても勿論問題ない。さらに、このような複合媒体から一部が着脱可能な構成としても勿論問題ない。
【０２８０】
（８）上述した実施の形態では、撮像装置１００に記録媒体２００が内蔵された構成したが、例えば、記録媒体２００が、撮像装置１００と分離して任意に接続可能な構成であるものとしてもよい。まｙた、記録媒体２００が、単数或いは複数の任意の個数、内蔵或いは接続可能な構成であっても構わない。
【０２８１】
（９）本発明の目的は、第１〜第３の実施の形態のホスト及び端末の機能を実現するソフトウェアのプログラムコードを記憶した記憶媒体を、システム或いは装置に供給し、そのシステム或いは装置のコンピュータ（又はＣＰＵやＭＰＵ）が記憶媒体に格納されたプログラムコードを読みだして実行することによっても、達成されることは言うまでもない。
この場合、記憶媒体から読み出されたプログラムコード自体が第１〜第３の実施の形態の機能を実現することとなり、そのプログラムコードを記憶した記憶媒体及び当該プログラムコードは本発明を構成することとなる。
プログラムコードを供給するための記憶媒体としては、ＲＯＭ、フレキシブルディスク、ハードディスク、光ディスク、光磁気ディスク、ＣＤ−ＲＯＭ、ＣＤ−Ｒ、磁気テープ、不揮発性のメモリカード等を用いることができる。
また、コンピュータが読みだしたプログラムコードを実行することにより、第１〜第３の実施の形態の機能が実現されるだけでなく、そのプログラムコードの指示に基づき、コンピュータ上で稼動しているＯＳ等が実際の処理の一部又は全部を行い、その処理によって第１〜第３の実施の形態の機能が実現される場合も含まれることは言うまでもない。
さらに、記憶媒体から読み出されたプログラムコードが、コンピュータに挿入された拡張機能ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって第１〜第３の実施の形態の機能が実現される場合も含まれることは言うまでもない。
【０２８２】
【発明の効果】
以上説明したように本発明では、画像取得側（撮像装置等）において、画像情報を画像出力側（印刷装置等）で出力するための設定に関する情報（印刷注文設定情報等）を、情報処理側（印刷装置と通信可能な情報処理装置等）を介して画像出力側に対して送信する、或いは情報処理側を介さずに画像出力側に対して送信する、という設定を選択可能とし、当該設定選択に基づき、画像情報を画像出力側で出力するための設定情報、及び当該出力対象の画像情報を、画像出力側へと送信して出力処理するように構成した。
これにより、状況に応じて、画像情報の出力に関する設定を画像取得側、或いは情報処理側で行え、効率良く所望する画像情報の出力結果を得ることができる。
【図面の簡単な説明】
【図１】第１の実施の形態において、本発明を適用したシステムの構成を示すブロック図である。
【図２】上記システムの撮像装置の構成を示すブロック図である。
【図３】上記システムの画像情報管理装置（画像ゲートウェイ）の構成を示すブロック図である。
【図４】上記システムの情報処理装置の構成を示すブロック図である。
【図５】上記システムの印刷装置（プリントサービス）の構成を示すブロック図である。
【図６】上記撮像装置の動作を説明するためのフローチャートである。
【図７】上記撮像装置の動作において、撮影モード処理を説明するためのフローチャートである。
【図８】上記撮像装置の動作において、測距／測光処理を説明するためのフローチャートである。
【図９】上記撮像装置の動作において、撮影処理を説明するためのフローチャートである。
【図１０】上記撮像装置の動作において、再生処理を説明するためのフローチャートである。
【図１１】上記撮像装置の動作において、印刷注文設定処理を説明するためのフローチャートである。
【図１２】上記印刷注文設定処理の画像指定モード処理を説明するためのフローチャートである。
【図１３】上記印刷注文設定処理のリセットモード処理を説明するためのフローチャートである。
【図１４】上記印刷注文設定処理の設定モード処理を説明するためのフローチャートである。
【図１５】上記印刷注文設定処理の印刷注文送信モード処理を説明するためのフローチャートである。
【図１６】上記画像情報管理装置（画像ゲートウェイ）の動作を説明するためのフローチャートである。
【図１７】上記情報処理装置の動作を説明するためのフローチャートである。
【図１８】上記印刷装置（プリントサービス）の動作を説明するためのフローチャートである。
【図１９】第２の実施の形態における上記撮像装置の動作を説明するためのフローチャートである。
【図２０】第２の実施の形態における上記情報処理装置の動作を説明するためのフローチャートである。
【符号の説明】
１００　撮像装置
１１０　通信媒体
４００　画像情報管理装置（画像ゲートウェイ）
５００　情報処理装置
６００　インターネット
６０２，６０４，６０８　ネットワーク
６１０〜６３０　ＷＷＷサーバ
８００　プリントサービス（印刷装置）
９００　システム
【図１】
2004013833.tif 000003
【図２】
2004013833.tif 000004
【図３】
2004013833.tif 000005
【図４】
2004013833.tif 000006
【図５】
2004013833.tif 000007
【図６】
2004013833.tif 000008
【図７】
2004013833.tif 000009
【図８】
2004013833.tif 000010
【図９】
2004013833.tif 000011
【図１０】
2004013833.tif 000012
【図１１】
2004013833.tif 000013
【図１２】
2004013833.tif 000014
【図１３】
2004013833.tif 000015
【図１４】
2004013833.tif 000016
【図１５】
2004013833.tif 000017
【図１６】
2004013833.tif 000018
【図１７】
2004013833.tif 000019
【図１８】
2004013833.tif 000020
【図１９】
2004013833.tif 000021
【図２０】
2004013833.tif 000022